(57)【特許請求の範囲】
【請求項１】
無線通信の方法であって、
ｅＮｏｄｅＢにおいて、共通基準信号（ＣＲＳ）から取得されたチャネル推定に基づいてデータ送信を復号する少なくとも１つのレガシユーザ機器（ＵＥ）のためにＣＲＳ仮想化スキームを選択することと、
前記ＣＲＳ仮想化スキームに基づいて、前記ｅＮｏｄｅＢから前記少なくとも１つのレガシＵＥに、前記ＣＲＳを、少なくとも１つのＣＲＳアンテナポートを介して送信することと、
を備え、
前記少なくとも１つのレガシＵＥがＣＲＳベースの復号スキームを使用して前記データ送信を復号する場合、前記ＣＲＳの送信は、前記ｅＮｏｄｅＢから前記少なくとも１つのレガシＵＥへの前記データ送信と同一のビームセット、同一の時間周波数リソース、同一のＣＲＳアンテナポート、及び同一のトラヒック対パイロット（Ｔ２Ｐ）比を使用する、
方法。
【請求項２】
遠隔ラジオヘッド（ＲＲＨ）が前記ｅＮｏｄｅＢと同数のＣＲＳアンテナポートを有する、請求項１に記載の方法。
【請求項３】
遠隔ラジオヘッド（ＲＲＨ）のＣＲＳアンテナポートが、前記ｅＮｏｄｅＢのＣＲＳアンテナポートから線形独立である、請求項１に記載の方法。
【請求項４】
前記送信されるＣＲＳの電力ブーストを増加させる前記ＣＲＳ仮想化スキームを選択することをさらに備える、請求項１に記載の方法。
【請求項５】
ＳＦＢＣ（空間周波数クロックコード）／ＳＦＢＣ−ＦＳＴＤ（周波数シフト時間ダイバーシティ）性能を向上させるために、前記ＣＲＳ仮想化スキームを選択することをさらに備える、請求項１に記載の方法。
【請求項６】
前記少なくとも１つのレガシＵＥがＣＲＳアンテナポート間のＴ２Ｐ比の差分を決定することを可能にするために、前記少なくとも１つのレガシＵＥに信号を送信することをさらに備える、請求項１に記載の方法。
【請求項７】
無線通信のためのｅＮｏｄｅＢであって、
メモリと、
前記メモリに結合された少なくとも１つのプロセッサと、
を備え、前記少なくとも１つのプロセッサは、
共通基準信号（ＣＲＳ）から取得されたチャネル推定に基づいてデータ送信を復号する少なくとも１つのレガシユーザ機器（ＵＥ）のためにＣＲＳ仮想化スキームを選択し、
前記ＣＲＳ仮想化スキームに基づいて、前記ｅＮｏｄｅＢから前記少なくとも１つのレガシＵＥに、前記ＣＲＳを、少なくとも１つのＣＲＳアンテナポートを介して送信する
ように構成され、
前記少なくとも１つのレガシＵＥがＣＲＳベースの復号スキームを使用して前記データ送信を復号する場合、前記ＣＲＳの送信は、前記ｅＮｏｄｅＢから前記少なくとも１つのレガシＵＥへの前記データ送信と同一のビームセット、同一の時間周波数リソース、同一のＣＲＳアンテナポート、及び同一のトラヒック対パイロット（Ｔ２Ｐ）比を使用する、
ｅＮｏｄｅＢ。
【請求項８】
遠隔ラジオヘッド（ＲＲＨ）が前記ｅＮｏｄｅＢと同数のＣＲＳアンテナポートを有する、請求項７に記載のｅＮｏｄｅＢ。
【請求項９】
遠隔ラジオヘッド（ＲＲＨ）のＣＲＳアンテナポートが、前記ｅＮｏｄｅＢのＣＲＳアンテナポートから線形独立である、請求項７に記載のｅＮｏｄｅＢ。
【請求項１０】
前記送信されるＣＲＳの電力ブーストを増加させる前記ＣＲＳ仮想化スキームを選択することをさらに備える、請求項７に記載のｅＮｏｄｅＢ。
【請求項１１】
前記プロセッサはさらに、ＳＦＢＣ（空間周波数クロックコード）／ＳＦＢＣ−ＦＳＴＤ（周波数シフト時間ダイバーシティ）性能を向上させるために、前記ＣＲＳ仮想化スキームを選択するように構成される、請求項７に記載のｅＮｏｄｅＢ。
【請求項１２】
前記プロセッサはさらに、前記少なくとも１つのレガシＵＥがＣＲＳアンテナポート間のＴ２Ｐ比の差分を決定することを可能にするために、前記少なくとも１つのレガシＵＥに信号を送信することをさらに備える、請求項７に記載のｅＮｏｄｅＢ。
【請求項１３】
無線ネットワークにおける無線通信のためのコンピュータプログラムであって、
コンピュータに、ｅＮｏｄｅＢにおいて、共通基準信号（ＣＲＳ）から取得されたチャネル推定に基づいてデータ送信を復号する少なくとも１つのレガシユーザ機器（ＵＥ）のためにＣＲＳ仮想化スキームを選択させるプログラムコードと、
コンピュータに、前記ＣＲＳ仮想化スキームに基づいて、前記ｅＮｏｄｅＢから前記少なくとも１つのレガシＵＥに、前記ＣＲＳを、少なくとも１つのＣＲＳアンテナポートを介して送信させるプログラムコードと、
を備え、
前記少なくとも１つのレガシＵＥがＣＲＳベースの復号スキームを使用して前記データ送信を復号する場合、前記ＣＲＳの送信は、前記ｅＮｏｄｅＢから前記少なくとも１つのレガシＵＥへの前記データ送信と同一のビームセット、同一の時間周波数リソース、同一のＣＲＳアンテナポート、及び同一のトラヒック対パイロット（Ｔ２Ｐ）比を使用する、
コンピュータプログラム。
【請求項１４】
無線通信のための装置であって、
ｅＮｏｄｅＢにおいて、共通基準信号（ＣＲＳ）から取得されたチャネル推定に基づいてデータ送信を復号する少なくとも１つのレガシユーザ機器（ＵＥ）のためにＣＲＳ仮想化スキームを選択する手段と、
前記ＣＲＳ仮想化スキームに基づいて、前記ｅＮｏｄｅＢから前記少なくとも１つのレガシＵＥに、前記ＣＲＳを、少なくとも１つのＣＲＳアンテナポートを介して送信する手段と、
を備え、
前記少なくとも１つのレガシＵＥがＣＲＳベースの復号スキームを使用して前記データ送信を復号する場合、前記ＣＲＳの送信は、前記ｅＮｏｄｅＢから前記少なくとも１つのレガシＵＥへの前記データ送信と同一のビームセット、同一の時間周波数リソース、同一のＣＲＳアンテナポート、及び同一のトラヒック対パイロット（Ｔ２Ｐ）比を使用する、
装置。
【請求項１５】
前記少なくとも１つのレガシＵＥがＣＲＳベースの復号スキームを使用して前記データ送信を復号しない場合、前記ＣＲＳの送信は、前記ｅＮｏｄｅＢから前記少なくとも１つのレガシＵＥへの前記データ送信とは異なるビームセット、異なる時間周波数リソース、異なるＣＲＳアンテナポート、及び異なるトラヒック対パイロット（Ｔ２Ｐ）比を使用する、請求項１に記載の方法。
【請求項１６】
前記少なくとも１つのレガシＵＥがＣＲＳベースの復号スキームを使用して前記データ送信を復号しない場合、前記ＣＲＳの送信は、前記ｅＮｏｄｅＢから前記少なくとも１つのレガシＵＥへの前記データ送信とは異なるビームセット、異なる時間周波数リソース、異なるＣＲＳアンテナポート、及び異なるトラヒック対パイロット（Ｔ２Ｐ）比を使用する、請求項７に記載のｅＮｏｄｅＢ。
【請求項１７】
前記少なくとも１つのレガシＵＥがＣＲＳベースの復号スキームを使用して前記データ送信を復号しない場合、前記ＣＲＳの送信は、前記ｅＮｏｄｅＢから前記少なくとも１つのレガシＵＥへの前記データ送信とは異なるビームセット、異なる時間周波数リソース、異なるＣＲＳアンテナポート、及び異なるトラヒック対パイロット（Ｔ２Ｐ）比を使用する、請求項１３に記載のコンピュータプログラム。
【請求項１８】
前記少なくとも１つのレガシＵＥがＣＲＳベースの復号スキームを使用して前記データ送信を復号しない場合、前記ＣＲＳの送信は、前記ｅＮｏｄｅＢから前記少なくとも１つのレガシＵＥへの前記データ送信とは異なるビームセット、異なる時間周波数リソース、異なるＣＲＳアンテナポート、及び異なるトラヒック対パイロット（Ｔ２Ｐ）比を使用する、請求項１４に記載の装置。
【発明の詳細な説明】
【関連出願】
【０００１】
本願は、開示が全体的に本明細書に参照により明確に組み込まれる、２０１１年２月１４日に出願された、「CRS (COMMON REFERENCE SIGNAL) AND CSI-RS (CHANNEL STATE INFORMATION REFERENCE SIGNAL) TRANSMISSION FOR REMOTE RADIO HEADS (RRHs)」と題する米国特許仮出願第６１／４４２，７２５への利益を米国特許法第１１９条（ｅ）に基づいて主張する。
【技術分野】
【０００２】
本開示の態様は一般に、無線通信システムに関し、さらに詳細には、遠隔ラジオヘッドを含むネットワークに対して基準信号を送信することに関する。
【背景技術】
【０００３】
無線通信ネットワークは、音声、映像、パケットデータ、メッセージング、ブロードキャスト、等の様々な通信サービスを提供するために広く展開されている。これらの無線ネットワークは、利用可能なネットワークリソースを共有することによって複数のユーザをサポートすることができる多元接続ネットワークでありうる。無線通信ネットワークは、多数のユーザ機器（ＵＥ）のために通信をサポートすることができる多数の基地局を含みうる。ＵＥは、ダウンリンクおよびアップリンクを介して基地局と通信しうる。ダウンリンク（すなわち順方向リンク）は、基地局からＵＥへの通信リンクを指し、アップリンク（すなわち逆方向リンク）は、ＵＥから基地局への通信リンクを指す。
【０００４】
基地局は、データおよび制御情報をダウンリンクでＵＥに送信し、および／または、データおよび制御情報をアップリンクでＵＥから受信しうる。ダウンリンク上では、基地局からの送信は、近隣基地局から、あるいは、他の無線ラジオ周波数（ＲＦ）送信機からの送信がもたらす干渉に遭遇しうる。アップリンク上では、ＵＥからの送信が、近隣基地局と通信する他のＵＥのアップリンク送信から、あるいは、他の無線ＲＦ送信機からの干渉に遭遇しうる。この干渉は、ダウンリンクおよびアップリンクの両方での性能を劣化させうる。
【０００５】
モバイルブロードバンドアクセスに対する需要が増加し続けるにつれ、より多くのＵＥが長距離無線通信ネットワークにアクセスし、より多くの短距離無線システムがコミュニティで展開されているため、干渉および輻輳ネットワークの可能性が高まる。研究と発展が、モバイルブロードバンドアクセスに対する高まる需要を満たすためだけでなく、モバイル通信とのユーザ経験を促進および増進するためにＵＭＴＳ技術を促進し続けている。
【発明の概要】
【０００６】
１つの態様では、無線通信の方法が開示されている。この方法は、遠隔ラジオヘッド（ＲＲＨ）の共通基準信号（ＣＲＳ）アンテナポートの数がマクロｅＮｏｄｅＢのＣＲＳアンテナポートの数にマッチングするように共通基準信号（ＣＲＳ）仮想化スキームを選択することを含む。次に、選択されたＣＲＳは、仮想化スキームを用いて送信される。
【０００７】
別の態様は、無線通信の方法を開示され、それは、マクロｅＮｏｄｅＢおよび複数の遠隔ラジオヘッド（ＲＲＨ）でチャネル状態情報基準信号（ＣＳＩ−ＲＳ）ポートを作る（create）ようにＣＳＩ−ＲＳ構成を選択することを含む。次に、ＣＳＩ−ＲＳは、選択されたＣＳＩ−ＲＳ構成にしたがって送信される。
【０００８】
別の態様において、無線通信の方法が開示される。方法は、遠隔ラジオヘッド（ＲＲＨ）から明示的にシグナリングすることによって、あるいは、ＲＲＨに関連付けられたチャネル状態情報基準信号（ＣＳＩ−ＲＳ）を位置付けることによって、ＲＲＨを識別することを含む。次に、識別されたＲＲＨに接続するか否かが決定される。
【０００９】
無線通信の別の方法が開示され、それは、アップリンク信号を測定することを含む。次に、遠隔ラジオヘッドから、アップリンク信号の測定値が受信される。マクロｅＮｏｄｅＢは、この測定値に基づいて、基地局（マクロｅＮｏｄｅＢ）からＵＥにサービス提供するか、ＲＲＨからＵＥにサービス提供するかを決定する。
【００１０】
１つの態様は、メモリと、このメモリに結合された少なくとも１つのプロセッサとを有する無線通信を開示する。１または複数のプロセッサは、遠隔ラジオヘッド（ＲＲＨ）の共通基準信号（ＣＲＳ）アンテナポートの数が、マクロｅＮｏｄｅＢのＣＲＳアンテナポートの数とマッチングするように共通基準信号（ＣＲＳ）仮想化スキームを選択するように構成される。プロセッサはまた、仮想化スキームを用いてＣＲＳを送信するように構成される。
【００１１】
別の態様において、メモリと、このメモリに結合された少なくとも１つのプロセッサとを有する無線通信が開示される。１または複数のプロセッサは、マクロｅＮｏｄｅＢおよび複数の遠隔ラジオヘッド（ＲＲＨ）でＣＳＩ−ＲＳポートを作るために、チャネル状態情報基準信号（ＣＳＩ−ＲＳ）構成を選択するように構成される。１または複数のプロセッサはまた、選択されたＣＳＩ−ＲＳ構成にしたがってＣＳＩ−ＲＳを送信するように構成される。
【００１２】
別の態様は、メモリと、このメモリに結合された少なくとも１つのプロセッサとを有する無線通信を開示する。１または複数のプロセッサは、遠隔ラジオヘッド（ＲＲＨ）から明示的にシグナリングすることによって、あるいは、ＲＲＨに関連付けられたチャネル状態情報基準信号（ＣＳＩ−ＲＳ）を位置付けすることによって、ＲＲＨを識別するように構成される。１または複数のプロセッサはまた、識別されたＲＲＨに接続するか否かを決定するように構成される。
【００１３】
別の態様において、メモリと、このメモリに結合された少なくとも１つのプロセッサとを有する無線通信が開示される。１または複数のプロセッサは、アップリンク信号を測定し、アップリンク信号の測定値を受信するように構成される。受信された測定値は、遠隔ラジオヘッド（ＲＲＨ）からのものである。次に、１または複数のプロセッサは、この測定値に基づいて、マクロ基地局からＵＥにサービス提供するか、ＲＲＨからＵＥにサービス提供するかを決定する。
【００１４】
別の態様において、非一時的なコンピュータ読取可能な媒体を有する、無線ネットワークにおける無線通信のためのコンピュータプログラム製品が開示される。コンピュータ読取可能な媒体は、非一時的なプログラムコードを記録しており、それは、１または複数のプロセッサによって実行されると、１または複数のプロセッサに対して、遠隔ラジオヘッド（ＲＲＨ）の共通基準信号（ＣＲＳ）アンテナポート数がマクロｅＮｏｄｅＢのＣＲＳアンテナポートの数にマッチングするように共通基準信号（ＣＲＳ）仮想化スキームを選択する動作を実行させる。プログラムコードはまた、１または複数のプロセッサに対して、仮想化スキームを用いてＣＲＳを送信させる。
【００１５】
別の態様は、非一時的なコンピュータ読取可能な媒体を有する、無線ネットワークにおける無線通信のためのコンピュータプログラム製品を開示する。コンピュータ読取可能な媒体は、非一時的なプログラムコードを記録しており、それは、１または複数のプロセッサによって実行されると、１または複数のプロセッサに対して、マクロｅＮｏｄｅＢおよび複数の遠隔ラジオヘッド（ＲＲＨ）でチャネル状態情報基準信号（ＣＳＩ−ＲＳ）ポートを作るようにＣＳＩ−ＲＳ構成を選択する動作を実行させる。プログラムコードはまた、１または複数のプロセッサに対して、選択されたＣＳＩ−ＲＳ構成にしたがってＣＳＩ−ＲＳを送信させる。
【００１６】
別の態様において、非一時的なコンピュータ読取可能な媒体を有する、無線ネットワークにおける無線通信のためのコンピュータプログラム製品が開示される。コンピュータ読取可能な媒体は、非一時的なプログラムコードを記録しており、それは、１または複数のプロセッサによって実行されると、１または複数のプロセッサに対して、遠隔ラジオヘッド（ＲＲＨ）から明示的にシグナリングすることによって、あるいは、ＲＲＨに関連付けられたチャネル状態情報基準信号（ＣＳＩ−ＲＳ）を位置付けることによって、ＲＲＨを識別する動作を実行させる。このプログラムコードはまた、１または複数のプロセッサに対して、識別されたＲＲＨに接続するか否かを決定させる。
【００１７】
別の態様は、非一時的なコンピュータ読取可能な媒体を有する無線ネットワークにおける無線通信のためのコンピュータプログラム製品を開示する。コンピュータ読取可能な媒体は、非一時的なプログラムコードを記録しており、それは、１または複数のプロセッサによって実行されると、１または複数のプロセッサに対して、アップリンク信号を測定する動作を実行させる。プログラムコードはまた、１または複数のプロセッサに対して、アップリンク信号の測定値を受信させ、ここで、測定値は、遠隔ラジオヘッド（ＲＲＨ）から受信される。プログラムコードはまた、１または複数のプロセッサに対して、この測定値に基づいて、マクロ基地局からＵＥにサービス提供するか、ＲＲＨからＵＥにサービス提供するかを決定させる。
【００１８】
１つの態様は、無線通信のための装置を開示し、それは、遠隔ラジオヘッド（ＲＲＨ）の共通基準信号（ＣＲＳ）アンテナポートの数がマクロｅＮｏｄｅＢのＣＲＳアンテナポートの数とマッチングするように共通基準信号（ＣＲＳ）仮想化スキームを選択する手段を含む。装置はまた、仮想化スキームを使用してＣＲＳを送信する手段を含む。
【００１９】
別の態様において、無線通信のための装置が開示される。装置は、マクロｅＮｏｄｅＢおよび複数の遠隔ラジオヘッド（ＲＲＨ）でチャネル状態情報基準信号（ＣＳＩ−ＲＳ）ポートを作るようにＣＳＩ−ＲＳ構成を選択する手段を含む。装置はまた、選択されたＣＳＩ−ＲＳ構成にしたがってＣＳＩ−ＲＳを送信する手段を含む。
【００２０】
別の態様は、無線通信のための装置を開示する。装置は、遠隔ラジオヘッド（ＲＲＨ）から明示的にシグナリングすることによって、あるいは、ＲＲＨに関連付けられたチャネル状態情報基準信号（ＣＳＩ−ＲＳ）を位置付けることによって、ＲＲＨを識別する手段を含む。装置はまた、識別されたＲＲＨに接続するか否かを決定する手段を含む。
【００２１】
別の態様において、無線通信のための装置が開示され、それは、アップリンク信号を測定する手段を含む。アップリンク信号の測定値を受信する手段も含まれており、ここで、測定値は、遠隔ラジオヘッド（ＲＲＨ）から受信される。装置はまた、測定値に基づいてマクロ基地局からＵＥにサービス提供するか、ＲＲＨからＵＥにサービス提供するかを決定する手段を含む。
【００２２】
これは、以下の詳細な説明がより良く理解されうるように、本開示の特徴および技術的利点をかなり幅広く概説している。本開示のさらなる特徴および利点が以下に説明される。本開示が、本開示の目的と同じ目的を実行するために他の構造を変更または設計するための基礎として容易に利用されうることは、当業者によって認識されるべきである。そのような同等の構成が、添付された特許請求の範囲に示された本開示の教示から逸脱しないことも、当業者によって理解されるべきである。本開示の構成および動作の方法の両方について、本開示の特徴であると考えられる新規な特徴は、さらなる目的および利点とともに、添付図面と関連して考慮されるとき、以下の説明からより良く理解されるであろう。しかしながら、各々の図が例示および説明を目的としてのみ提供され、本開示の限定の定義として意図されるものではないことは、明確に理解されるべきである。
【図面の簡単な説明】
【００２３】
本開示の特徴、性質、および利点は、同様の参照文字が全体を通して相応して識別する図面を考慮した場合、以下に示される詳細な説明により、より明らかになるであろう。
【図１】図１は、電気通信システムの例を概念的に示すブロック図である。
【図２】図２は、電気通信システムにおけるダウンリンクフレーム構造の例を概念的に示す図である。
【図３】図３は、アップリンク通信における例示的なフレーム構造を概念的に示すブロック図である。
【図４】図４は、本開示の態様にしたがって構成されたＵＥと基地局/ｅＮｏｄｅＢの設計を概念的に示すブロック図である。
【図５Ａ】図５Ａは、ＣＲＳベースのデータ送信を示す。
【図５Ｂ】図５Ｂは、ＣＲＳベースのデータ送信を示す。
【図６Ａ】図６Ａは、ＣＲＳ送信を示す。
【図６Ｂ】図６Ｂは、ＣＲＳ送信を示す。
【図６Ｃ】図６Ｃは、ＣＲＳ送信を示す。
【図６Ｄ】図６Ｄは、ＣＲＳ送信を示す。
【図７】図７は、範囲拡張型領域におけるデータ送信を示す。
【図８Ａ】図８Ａは、遠隔ラジオヘッド（ＲＲＨ）を有するネットワークにおいてＣＲＳ送信を構成するための方法を示すブロック図である。
【図８Ｂ】図８Ｂは、遠隔ラジオヘッド（ＲＲＨ）を有するネットワークにおいてＣＳＩ−ＲＳ送信を構成するための方法を示すブロック図である。
【図８Ｃ】図８Ｃは、遠隔ラジオヘッドを構成する方法を示すブロック図である。
【図８Ｄ】図８Ｄは、遠隔ラジオヘッドを構成する方法を示すブロック図である。
【図９】図９は、処理システムを用いる装置のためのハードウェア実現の例を示すブロック図である。
【図１０】図１０は、処理システムを用いる装置のためのハードウェア実現の例を示すブロック図である。
【発明を実施するための形態】
【００２４】
添付の図面に関連して以下に示される詳細な説明は、様々な構成の説明を意図したものであり、本明細書において説明される概念が実現されうる唯一の構成しか表わさないことを意図したものではない。この詳細な説明は、様々な概念の徹底した理解を提供することを目的として特定の詳細を含む。しかしながら、これらの概念が、これらの特定の詳細なしで実施されうることは、当業者にとって明らかであろう。いくつかの事例では、周知の構造およびコンポーネントが、このような概念をあいまいにしないためにブロック図の形式で示されている。
【００２５】
本明細書で説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリア周波数分割多元接続（ＳＣ−ＦＤＭＡ）のような様々な無線通信ネットワーク、あるいは他のネットワークのために使用されうる。「ネットワーク」および「システム」という用語は、しばしば交換可能に使用される。ＣＤＭＡネットワークは、ユニバーサル地上ラジオアクセス（ＵＴＲＡ）、米国電気通信工業会（ＴＩＡ）のＣＤＭＡ２０００（登録商標）、等のようなラジオ技術を実現しうる。ＵＴＲＡ技術は、広域ＣＤＭＡ（ＷＣＤＭＡ（登録商標））およびＣＤＭＡの他の変形を含む。ＣＤＭＡ ２０００技術は、米国電子工業会（ＥＩＡ）およびＴＩＡのＩＳ−２０００、ＩＳ−９５およびＩＳ−８５６規格を含む。ＴＤＭＡネットワークは、モバイル通信のためのグローバルシステム（ＧＳＭ（登録商標））のようなラジオ技術を実現しうる。ＯＦＤＭＡネットワークは、発展型ＵＴＲＡ（Ｅ−ＵＴＲＡ）、ウルトラモバイルブロードバンド（ＵＭＢ）、ＩＥＥＥ ８０２．１１（Ｗｉ-Fi）、ＩＥＥＥ ８０２．１６（ＷｉＭＡＸ）、ＩＥＥＥ ８０２．２０、フラッシュＯＦＤＭ、等のようなラジオ技術を実現しうる。ＵＴＲＡおよびＥ−ＵＴＲＡ技術は、ユニバーサルモバイル電気通信システム（ＵＭＴＳ）の一部である。3ＧＰＰロングタームエボリューション（ＬＴＥ）およびＬＴＥアドバンスト（ＬＴＥ−Ａ）は、Ｅ−ＵＴＲＡを使用するＵＭＴＳのより新しいリリースである。ＵＴＲＡ、Ｅ−ＵＴＲＡ、ＵＭＴＳ、ＬＴＥ、ＬＴＥ−ＡおよびＧＳＭは、「第３世代パートナーシッププロジェクト」（３ＧＰＰ）と呼ばれる団体からの文書に記載されている。ＣＤＭＡ２０００およびＵＭＢは、「第３世代パートナーシッププロジェクト２」（３ＧＰＰ２）と呼ばれる団体からの文書に記載されている。本明細書で説明される技法は、上述された無線ネットワークおよびラジオアクセス技術、並びに、他の無線ネットワークおよびラジオアクセス技術に使用されうる。明確化のために、これらの技法の特定の態様が、ＬＴＥあるいはＬＴＥ−Ａ（代替的に「ＬＴＥ／−Ａ」と総称される）に関して以下に説明され、以下の説明の大部分においてこのようなＬＴＥ／−Ａ専門用語を使用する。
【００２６】
図１は、構成可能な遠隔ラジオヘッドを有するＬＴＥ−Ａネットワークでありうる無線通信ネットワーク１００を示す。無線ネットワーク１００は、多数の発展型ノードＢ（ｅＮｏｄｅＢ)１１０および他のネットワークエンティティを含む。ｅＮｏｄｅＢは、ＵＥと通信する局であり、基地局、ノードＢ、アクセスポイント、等とも呼ばれうる。各ｅＮｏｄｅＢ １１０は、特定の地理的エリアに対して通信カバレッジを提供しうる。３ＧＰＰにおいて、「セル」という用語は、その用語が使用される内容に依存して、ｅＮｏｄｅＢのこの特定の地理的カバレッジエリアおよび／またはそのカバレッジエリアにサービス提供しているｅＮｏｄｅＢサブシステムを指しうる。
【００２７】
ｅＮｏｄｅＢは、マクロセル、ピコセル（遠隔ラジオヘッド（ＲＲＨ）と呼ばれることもある）、フェムトセル、および／または、他のタイプのセルに対して通信カバレッジを提供しうる。マクロセルは一般的に、比較的大きな地理的エリア(例えば、半径数キロメートル)をカバーし、ネットワークプロバイダへのサービスに加入しているＵＥによる無制限のアクセスを可能にしうる。ピコセルは一般的に、比較的小さい地理的エリアをカバーし、ネットワークプロバイダへのサービスに加入しているＵＥによる無制限のアクセスを可能にしうる。フェムトセルも一般的に、比較的小さい地理的エリア(例えば、家)をカバーし、無制限のアクセスに加えて、フェムトセルとの関連付けを有するＵＥ(例えば、クローズド加入者グループ(ＣＳＧ)内のＵＥ、家の中にいるユーザのためのＵＥ、等)による制限付きアクセスを提供しうる。ＲＲＨは、ファイバのような高速接続でマクロセルに接続され、それによって、マクロセルとＲＲＨとの間での高速通信および協調が可能になるだけでなく、信頼性のある送信構成を可能にする。
【００２８】
マクロセルのためのｅＮｏｄｅＢは、マクロｅＮｏｄｅＢと呼ばれうる。ピコセルのためのｅＮｏｄｅＢは、ピコｅＮｏｄｅＢと呼ばれうる。また、フェムトセルのためのｅＮｏｄｅＢは、フェムトｅＮｏｄｅＢまたはホームｅＮｏｄｅＢと呼ばれうる。また、ＲＲＨのためのｅＮｏｄｅＢは、ＲＲＨ ｅＮｏｄｅＢまたはシンプルにＲＲＨと呼ばれうる。図１で示される例では、ｅＮｏｄｅＢ １１０ａ、１１０ｂおよび１１０ｃは、それぞれ、マクロセル１０２ａ、１０２ｂおよび１０２ｃのためのマクロｅＮｏｄｅＢである。ｅＮｏｄｅＢ １１０ｘは、ピコセル１０２ｘのためのピコｅＮｏｄｅＢである。また、ｅＮｏｄｅＢ １１０ｙおよび１１０ｚは、それぞれ、フェムトセル１０２ｙおよび１０２ｚのためのフェムトｅＮｏｄｅＢである。ｅＮｏｄｅＢ １１０ｘは、ピコセル１０２ｘのためのピコｅＮｏｄｅＢである。ｅＮｏｄｅＢ11０ｙ、１１０ｚは、それぞれ、セル１０２ｙ、１０２ｚのためのＲＲＨ ｅＮｏｄｅＢである。ｅＮｏｄｅＢは、１または複数（例えば、２つ、３つ、４つ、等）のセルをサポートしうる。
【００２９】
無線ネットワーク１００はまた、中継局を含みうる。中継局は、データおよび／または他の情報の送信をアップストリーム局（例えば、ｅＮｏｄｅＢ、ＵＥ、等）から受信し、データおよび／または他の情報の送信をダウンストリーム局（例えば、ＵＥまたはｅＮｏｄｅＢ)に送信する局である。中継局はまた、他のＵＥのための送信を中継するＵＥでありうる。図１に示される例では、中継局１１０ｒは、ｅＮｏｄｅＢ １１０ａとＵＥ １２０ｒとの間の通信を容易にするために、ｅＮｏｄｅＢ １１０ａとＵＥ １２０ｒと通信しうる。中継局はまた、中継ｅＮｏｄｅＢ、中継、等とも呼ばれうる。
【００３０】
無線ネットワーク１００は、例えば、マクロｅＮｏｄｅＢ、ピコｅＮｏｄｅＢ、フェムトｅＮｏｄｅＢ、中継、等のような異なるタイプのｅＮｏｄｅＢを含む異種ネットワークでありうる。これらの異なるタイプのｅＮｏｄｅＢは、無線ネットワーク１００において異なる送信電力レベル、異なるカバレッジエリア、および干渉に対する異なるインパクトを有しうる。例えば、マクロｅＮｏｄｅＢは、高い送信電力レベル（例えば２０ワット）を有するが、ピコｅＮｏｄｅＢ、フェムトｅＮｏｄｅＢおよび中継は、より低い送信電力レベル（例えば１ワット）を有しうる。
【００３１】
無線ネットワーク１００は、同期マクロセルおよび遠隔ラジオヘッド（ＲＲＨ）の動作をサポートしうる。さらに、無線ネットワーク１００は、周囲のマクロ基地局の同期動作または非同期動作をサポートしうる。同期動作の場合、複数のｅＮｏｄｅＢは、同様のフレームタイミングを有し、複数の異なるｅＮｏｄｅＢからの送信が時間的におおまかにアライメントされうる。非同期動作の場合、複数のｅＮｏｄｅＢは、異なるフレームタイミングを有し、複数の異なるｅＮｏｄｅＢからの送信は、時間的にアラインされない可能性がある。本明細書で説明される技法は、同期動作または非同期動作のいずれにも使用されうる。
【００３２】
１つの態様では、無線ネットワーク１００は、周波数分割複信（ＦＤＤ）動作モードまたは時分割複信（ＴＤＤ）動作モードをサポートしうる。本明細書で説明される技法は、ＦＤＤ動作モードまたはＴＤＤ動作モードに使用されうる。
【００３３】
ネットワークコントローラ１３０は、ｅＮｏｄｅＢ １１０のセットに結合され、これらのｅＮｏｄｅＢ １１０に対して協調と制御を提供しうる。ネットワークコントローラ１３０は、バックホールを介してｅＮｏｄｅＢ １１０と通信しうる。ｅＮｏｄｅＢ １１０はまた、例えば、直接的に、あるいは、無線バックホールまたは有線バックホールを介して間接的に、互いに通信しうる。
【００３４】
ＵＥ １２０（例えば、ＵＥ １２０ｘ、ＵＥ １２０ｙ、等）は、無線ネットワーク１００全体に分散しており、各ＵＥは、固定式または移動式でありうる。ＵＥは、端末、ユーザ端末、移動局、加入者ユニット、局、等とも呼ばれうる。ＵＥは、セルラ電話（例えば、スマートフォン）、携帯情報端末（ＰＤＡ）、無線モデム、無線通信デバイス、ハンドヘルドデバイス、ラップトップコンピュータ、コードレス電話、無線ローカルループ（ＷＬＬ）局、タブレット、ネットブック、スマートブック、等でありうる。ＵＥは、マクロｅＮｏｄｅＢ、ピコｅＮｏｄｅＢ、フェムトｅＮｏｄｅＢ、中継、等、と通信することができる。図１では、実線の両矢印は、ＵＥとサービス提供ｅＮｏｄｅＢ（ダウンリンクおよび／またはアップリンクでＵＥにサービス提供するように設計されたｅＮｏｄｅＢ）との間の所望の送信を示す。点線の両矢印は、ＵＥとｅＮｏｄｅＢとの間の干渉する送信を示す。
【００３５】
ＬＴＥは、ダウンリンク上では直交周波数分割多重化（ＯＦＤＭ）を利用し、アップリンク上では単一キャリア周波数分割多重化（ＳＣ−ＦＤＭ）を利用する。ＯＦＤＭとＳＣ−ＦＤＭは、システム帯域幅を複数の（Ｋ個の）直交サブキャリアに分割し、それらは一般的に、トーン、ビン、等と呼ばれる。各サブキャリアは、データで変調されうる。一般的に、変調シンボルは、ＯＦＤＭを用いて周波数ドメインで送られ、ＳＣ−ＦＤＭＡを用いて時間ドメインで送られる。隣接するサブキャリア間の間隔は固定され、サブキャリアの総数（Ｋ個）は、システム帯域幅に依存しうる。例えば、サブキャリアの間隔は、１５ｋＨｚであり、最小リソース割当（「リソースブロック」と呼ばれる）は、１２個のサブキャリア（すなわち、１８０ｋＨｚ）でありうる。その結果として、公称のＦＦＴサイズは、１．２５、２．５、５、１０、または２０メガヘルツ（ＭＨｚ）の対応システム帯域幅に対して、それぞれ、１２８、２５６、５１２、1０２４、あるいは２０４８に等しくなりうる。システム帯域幅はまた、サブ帯域に分割されうる。例えば、サブ帯域は、１．０８ＭＨｚ（すなわち、６個のリソースブロック）をカバーし、１．２５、２．５、５、１０、１５、または２０ＭＨｚの対応システム帯域幅に対して、それぞれ、１、２、４、８、あるいは１６個のサブ帯域が存在しうる。
【００３６】
図２は、ＬＴＥにおいて使用されるダウンリンクＦＤＤフレーム構造を示す。ダウンリンクのための送信タイムラインは、ラジオフレームの単位に分割されうる。各ラジオフレームは、既定の持続時間（例えば１０ミリ秒（ｍｓ））を有し、０〜９のインデックスを持つ１０個のサブフレームに分割されうる。各サブフレームは、２つのスロットを含みうる。このように、各ラジオフレームは、０〜１９のインデックスを持つ２０個のスロットを含みうる。各スロットは、Ｌ個のシンボル期間、例えば通常サイクリックプリフィックス（図２に示される）では７個のシンボル期間、あるいは、拡張サイクリックプリフィックスでは６個のシンボル期間、を含みうる。各サブフレームにおける２Ｌ個のシンボル期間は、０〜２Ｌ−１のインデックスが割り当てられうる。利用可能な時間周波数リソースは、リソースブロックに分割されうる。各リソースブロックは、１つのスロットにおいてＮ個のサブキャリア（例えば、１２個のサブキャリア）をカバーしうる。
【００３７】
ＬＴＥにおいて、ｅＮｏｄｅＢは、ｅＮｏｄｅＢ内のセルごとに、プライマリ同期信号（ＰＳＣまたはＰＳＳ）およびセカンダリ同期信号（ＳＳＣまたはＳＳＳ）を送りうる。ＦＤＤ動作モードの場合、プライマリ同期信号およびセカンダリ同期信号はそれぞれ、図２に示されるように、通常サイクリックプレフィックスで各ラジオフレームのサブフレーム０および５の各々のシンボル期間６および５において送られうる。これらの同期信号は、セル検出および獲得のためにＵＥによって使用されうる。ＦＤＤ動作モードの場合、ｅＮｏｄｅＢは、サブフレーム０のスロット１におけるシンボル期間０〜３で物理ブロードキャストチャネル（ＰＢＣＨ）を送りうる。ＰＢＣＨは、特定のシステム情報を搬送しうる。
【００３８】
ｅＮｏｄｅＢは、図２から理解されるように、各サブフレームの第１のシンボル期間で物理制御フォーマットインジケータチャネル（ＰＣＦＩＣＨ）を送りうる。ＰＣＦＩＣＨは、制御チャネルに使用されるシンボル期間の数（Ｍ個）を伝達し、ここで、Ｍは、１、２、または３に等しく、サブフレームごとに変化しうる。Ｍはまた、例えば、１０個未満のリソースブロックを持つ小さなシステム帯域幅の場合、４に等しくなりうる。図２に示される例において、Ｍ＝３である。ｅＮｏｄｅＢは、各サブフレームの最初のＭ個のシンボル期間において、物理ＨＡＲＱインジケータチャネル（ＰＨＩＣＨ）と物理ダウンリンク制御チャネル（ＰＤＣＣＨ）を送りうる。ＰＤＣＣＨおよびＰＨＩＣＨはまた、図２に示される例において最初の３個のシンボル期間に含まれうる。ＰＨＩＣＨは、ハイブリッド自動再送要求（ＨＡＲＱ）をサポートするために情報を搬送しうる。ＰＤＣＣＨは、ＵＥのためのアップリンクおよびダウンリンクリソース割り付けについての情報とアップリンクチャネルのための電力制御情報とを搬送しうる。ｅＮｏｄｅＢは、各サブフレームの残りのシンボル期間において、物理ダウンリンク共有チャネル（ＰＤＳＣＨ）を送りうる。ＰＤＳＣＨは、ダウンリンクでのデータ送信のためにスケジューリングされた、ＵＥのためのデータを搬送しうる。
【００３９】
ｅＮｏｄｅＢは、ｅＮｏｄｅＢによって使用されるシステム帯域幅の中心１．０８ ＭＨｚにおいて、ＰＳＣ、ＳＳＣおよびＰＢＣＨを送りうる。ｅＮｏｄｅＢは、これらのチャネルが送信される各シンボル期間においてシステム帯域幅全体にわたりＰＣＦＩＣＨおよびＰＨＩＣＨを送りうる。ｅＮｏｄｅＢは、システム帯域幅の特定の部分で、ＵＥのグループにＰＤＣＣＨを送りうる。ｅＮｏｄｅＢは、システム帯域幅の特定部分で、ＵＥのグループにＰＤＳＣＨを送りうる。ｅＮｏｄｅＢは、ブロードキャスト方式ですべてのＵＥにＰＳＣ、ＳＳＣ、ＰＢＣＨ、ＰＣＦＩＣＨおよびＰＨＩＣＨを送り、ユニキャスト方式で特定のＵＥにＰＤＣＣＨを送り、さらに、ユニキャスト方式で特定のＵＥにＰＤＳＣＨを送りうる。
【００４０】
多数のリソースエレメントが、各シンボル期間において利用可能でありうる。各リソースエレメントは、１つのシンボル期間に１つのサブキャリアをカバーし、実数または複素数でありうる１つの変調シンボルを送るために使用されうる。制御チャネルに使用されるシンボルについて、各シンボル期間において基準信号に使用されないリソースエレメントは、リソースエレメントグループ（ＲＥＧ）に配置されうる。各ＲＥＧは、１つのシンボル期間に４つのリソースエレメントを含みうる。シンボル期間０において、ＰＣＦＩＣＨは、４つのＲＥＧを占めており、これらは周波数にわたってほぼ均一に間隔があけられうる。１または複数の構成可能なシンボル期間において、ＰＨＩＣＨは、３つのＲＥＧを占めており、それは周波数にわたって分散している。例えば、ＰＨＩＣＨのための３つのＲＥＧはすべて、シンボル期間０に属しているか、あるいは、シンボル期間０、１および２に分散している。最初のＭ個のシンボル期間において、ＰＤＣＣＨは、９、１８、３６、あるいは７２個のＲＥＧを占めており、これらは、利用可能なＲＥＧから選択されうる。ＲＥＧの特定の組み合せだけが、ＰＤＣＣＨに対して許可されうる。
【００４１】
ＵＥは、ＰＨＩＣＨおよびＰＣＦＩＣＨに使用される特定のＲＥＧを知っている可能性がある。ＵＥは、ＰＤＣＣＨのためにＲＥＧの異なる組み合せを探索しうる。探索すべき組み合せの数は、典型的に、ＰＤＣＣＨ内のすべてのＵＥに対して許可される組み合せの数よりも少ない。ｅＮｏｄｅＢは、ＵＥが探索するであろう組み合せのいずれかで、ＵＥにＰＤＣＣＨを送りうる。
【００４２】
ＵＥは、複数のｅＮｏｄｅＢのカバレッジ内にありうる。これらのｅＮｏｄｅＢのうちの１つのｅＮｏｄｅＢは、ＵＥにサービス提供するために選択されうる。サービス提供ｅＮｏｄｅＢは、受信電力、パス損失、信号対ノイズ比（ＳＮＲ）、等のような様々な基準に基づいて選択されうる。
【００４３】
図３は、アップリンクのロングタームエボリューション（ＬＴＥ）通信における例示的なＦＤＤおよびＴＤＤ（特別でないサブフレームのみの）サブフレーム構造を概念的に示すブロック図である。アップリンクに利用可能なリソースブロック（ＲＢ）は、データセクションと制御セクションに分割されうる。制御セクションは、システム帯域幅の両端に形成され、そのサイズは設定可能でありうる。制御セクションのリソースブロックは、制御情報の送信のためにＵＥに割り当てられうる。データセクションは、制御セクションに含まれないすべてのリソースブロックを含みうる。図３の設計は、連続的なサブキャリアを含むデータセクションに帰着し、これによって、データセクション内の連続的なサブキャリアすべてが単一のＵＥに割り当てられることを可能にする。
【００４４】
ｅＮｏｄｅＢに制御情報を送信するために、ＵＥには制御セクションのリソースブロックが割り当てられうる。ＵＥにはまた、ｅＮｏｄｅＢにデータを送信するために、データセクションのリソースブロックを割り当てられうる。ＵＥは、制御セクション内の割り当てられたリソースブロック上の物理アップリンク制御チャネル（ＰＵＣＣＨ）で制御情報を送信しうる。ＵＥは、データセクション内の割り当てられたリソースブロック上の物理アップリンク共有チャネル（ＰＵＳＣＨ）において、データのみ、あるいは、データおよび制御情報の両方を送信しうる。アップリンク送信は、図３に示されるように、サブフレームの両方のスロットに広がり、周波数にわたってホップしうる。１つの態様によれば、緩和された単一キャリアオペレーションにおいて、並列チャネルがＵＬリソース上で送信されうる。例えば、制御チャネルおよびデータチャネル、並列制御チャネル、および並列データチャネルは、ＵＥによって送信されうる。
【００４５】
ＰＳＣ（プライマリ同期キャリア）、ＳＳＣ（セカンダリ同期キャリア）、ＣＲＳ（共通基準信号）、ＰＢＣＨ、ＰＵＣＣＨ、ＰＵＳＣＨ、およびＬＴＥ／−Ａにおいて使用される他のこのような信号およびチャネルは、公に入手可能であり、「Evolved Universal Terrestrial Radio Access (E-UTRA); Physical Channels and Modulation」と題する３ＧＰＰ ＴＳ ３６．２１１に記載されている。
【００４６】
図４は、基地局／ｅＮｏｄｅＢ １１０およびＵＥ １２０の設計のブロック図を示し、これらは、図１における基地局／ｅＮｏｄｅＢのうちの１つと、ＵＥのうちの１つとでありうる。例えば、基地局１１０は、図１のマクロｅＮｏｄｅＢ １１０ｃであり、ＵＥ １２０は、ＵＥ １２０ｙでありうる。基地局１１０はまた、ピコｅＮｏｄｅＢ １１０ｘまたは遠隔ラジオヘッド（ＲＲＨ）１１０ｙ、１１０ｚのような、ある他のタイプの基地局でありうる。基地局１１０は、アンテナ４３４ａ〜４３４ｔを備え、ＵＥ １２０は、アンテナ４５２ａ〜４５２ｒを備えうる。
【００４７】
基地局１１０では、送信プロセッサ４２０は、データソース４１２からデータを受信し、コントローラ／プロセッサ４４０から制御情報を受信しうる。制御情報は、ＰＢＣＨ、ＰＣＦＩＣＨ、ＰＨＩＣＨ、ＰＤＣＣＨなどのためのものでありうる。データは、ＰＤＳＣＨなどのためのものでありうる。プロセッサ４２０は、このデータおよび制御情報を処理（例えば、符号化、シンボルマッピング）して、それぞれ、データシンボルと制御シンボルを取得しうる。プロセッサ４２０はまた、例えば、ＰＳＳ、ＳＳＳ、およびセル固有基準信号のための基準シンボルを生成しうる。送信（ＴＸ）多入力多出力（ＭＩＭＯ）プロセッサ４３０は、適用可能であれば、データシンボル、制御シンボル、および／または、基準シンボルに対して空間処理（例えば、プリコーディング）を実行し、出力シンボルストリームを変調器（ＭＯＤ）４３２ａ〜４３２ｔに提供しうる。各変調器４３２は、それぞれの出力シンボルストリーム（例えば、ＯＦＤＭのための、等）を処理して、出力サンプルストリームを取得する。各変調器４３２は、この出力サンプルストリームをさらに処理して（例えば、アナログ変換、増幅、フィルタリング、アップコンバート）して、ダウンリンク信号を取得しうる。変調器４３２ａ〜４３２ｔからのダウンリンク信号は、それぞれ、アンテナ４３４ａ〜４３４ｔを介して送信されうる。
【００４８】
ＵＥ １２０では、アンテナ４５２ａ〜４５２ｒが、基地局１１０からのダウンリンク信号を受信し、受信された信号を、それぞれ、復調器（ＤＥＭＯＤ）４５４ａ〜４５４ｒに提供しうる。各復調器４５４は、それぞれの受信された信号を調整（例えば、フィルタリング、増幅、ダウンコンバート、デジタル化）して、入力サンプルを取得しうる。各復調器４５４は、入力サンプル（例えば、ＯＦＤＭのための、等）をさらに処理して、受信シンボルを取得する。ＭＩＭＯ検出器４５６は、すべての復調器４５４ａ〜４５４ｒからの受信されたシンボルを取得し、適用可能であれば、受信されたシンボルに対してＭＩＭＯ検出を実行し、検出されたシンボルを提供する。受信プロセッサ４５８は、検出されたシンボルを処理（例えば、復調、デインタリーブ、復号）して、ＵＥ １２０のための復号されたデータをデータシンク４６０に提供し、復号された制御情報を、コントローラ／プロセッサ４８０に提供しうる。
【００４９】
アップリンク上で、ＵＥ １２０では、送信プロセッサ４６４が、データソース４６２からデータ（例えば、ＰＵＳＣＨのための）を受信して処理し、コントローラ／プロセッサ４８０から制御情報（例えば、ＰＵＣＣＨのための）を受信して処理しうる。プロセッサ４６４はまた、基準信号のための基準シンボルを生成しうる。送信プロセッサ４６４からのシンボルは、適用可能であれば、ＴＸ ＭＩＭＯプロセッサ４６６によってプリコーディングされ、変調器４５４ａ〜４５４ｒによってさらに処理され（例えば、ＳＣ−ＦＤＭのために、等）、基地局１１０に送信されうる。基地局１１０では、ＵＥ １２０からのアップリンク信号が、アンテナ４３４によって受信され、復調器４３２によって処理され、適用可能であればＭＩＭＯ検出器４３６によって検出され、受信プロセッサ４３８によってさらに処理され、ＵＥ １２０が送った復号済みデータおよび制御情報が取得されうる。プロセッサ４３８は、復号されたデータをデータシンク４３９に提供し、復号された制御情報をコントローラ／プロセッサ４４０に提供しうる。基地局１１０は、例えば、Ｘ２インタフェース４４１を通して、メッセージを他の基地局に送信することができる。
【００５０】
コントローラ／プロセッサ４４０および４８０は、それぞれ、基地局１１０およびＵＥ １２０でのオペレーションを指揮しうる。プロセッサ４４０／４８０および／または基地局１１０／ＵＥ １２０の他のプロセッサおよびモジュールは、方法のフローチャート図８Ａ〜Ｄに示される機能ブロック、および／または、本明細書で説明される技法のための他のプロセス、の実行を実行または指揮しうる。メモリ４４２および４８２は、それぞれ、基地局１１０およびＵＥ １２０のためのデータおよびプログラムコードを格納しうる。スケジューラ４４４は、ダウンリンクおよび／またはアップリンクでのデータ送信のためにＵＥをスケジューリングしうる。
【００５１】
ＲＲＨ（遠隔ラジオヘッド）構成
本開示の１つの態様において、ネットワーク１００は、いくつかのより小さい基地局（すなわち、遠隔ラジオヘッド）に接続された高い電力の基地局（すなわち、ｅＮｏｄｅＢ）を含む。遠隔ラジオヘッドは、ｅＮｏｄｅＢ（マクロセルのための基地局）によって処理機能が実行される主にアンテナとしてサービス提供するように構成されうる。つまり、遠隔ラジオヘッドのグループは、大きなセルを形成する。ネットワーク１００はまた、新しいＵＥおよびレガシＵＥ（例えば、３ＧＰＰリリース８のＵＥ）を含む。レガシＵＥは、マクロセルと、遠隔ラジオヘッドの組み合わせによって形成されたセルとを区別することができない。本開示の１つの態様は、マクロセルと遠隔ラジオヘッドの様々な構成を提供して、レガシＵＥが、機能することを可能にし、それは、ＣＲＳポートの物理アンテナへのマッピング、ＣＳＩ−ＲＳ送信の構成、および、遠隔ラジオヘッドを識別する際の新しいＵＥの支援を含む。
【００５２】
ＣＲＳ送信
本開示の１つの態様は、共通基準信号（ＣＲＳ）送信に向けられている。特に、無線ネットワークにおいて、レガシＵＥは、共通基準信号（ＣＲＳ）送信から取得されたチャネル推定値に基づいてデータを復号する。ＣＲＳポートの特定の数がＵＥにアドバタイズ（advertise）される。ＣＲＳポートは、マクロｅＮｏｄｅＢのアンテナだけを用いて形成されうるか、ＲＲＨのアンテナだけを用いて使用して形成されうるか、あるいは、マクロｅＮｏｄｅＢとＲＲＨの両方のアンテナを含みうる。仮想化スキームは、アンテナがＣＲＳポートにどのようにマッピングされるかを定義する。
【００５３】
本開示の１つの態様は、この仮想化スキームの様々な構成、すなわち、ＣＲＳポートへのアンテナのマッピングに向けられる。本開示の１つの態様において、ＣＲＳポートの数は、マクロセルと遠隔ラジオヘッドについて同じである。別の態様において、ＣＲＳポートへのアンテナのマッピングが線形独立であるように仮想化スキームが構成される。アンテナの数がＣＲＳポートの数よりも少ない場合、送信ダイバーシティスキーム（ＳＦＢＣ、ＳＦＢＣ−ＦＳＴＤ）の性能を最適化するようにマッピングが選択されうる。復号されるべきＣＲＳベースのチャネル推定値を使用するデータ送信は、ＣＲＳと同じ仮想化スキームを用いて送られる。
【００５４】
１つの例において、ＬＴＥリリース８では、所与のセル（マクロｅＮｏｄｅＢおよび関連ＲＲＨの両方を有する）が、最大４つのＣＲＳポート（例えば、１、２、または４つのアンテナ）をアドバタイズしうる。基地局は、所与のセルについてＣＲＳポートの固定数（Ｎ個）（例えば、Ｎ＝１、２、または４）をＵＥにアドバタイズしうる。セルは、同一のセルＩＤを共有するマクロｅＮｏｄｅＢおよび関連ＲＲＨを含む。送信された基準信号は、セルＩＤの関数である。加えて、ＣＲＳポートを備えるアンテナからＣＲＳポートの数（Ｎ個）に対応する基準信号が送信される。ＣＲＳポートは、アンテナ仮想化を用いて単一のアンテナまたは複数のアンテナを用いて取得されうる。仮想アンテナは、例えば、固定のプリコーディングベクトルを用いて、複数のアンテナの一次結合によって作られ、また、サイクリック遅延ダイバーシティを用いるなど、別の方法で作られうる。
【００５５】
別の例において、ＣＲＳポートは、マクロｅＮｏｄｅＢと１または複数のＲＲＨの両方のアンテナを使用して形成されうる。例えば、マクロｅＮｏｄｅＢおよびＲＲＨが各々２つのアンテナを有しており、ＵＥが、２つのＣＲＳポートをアドバタイズしている場合、マクロｅＮｏｄｅＢおよびＲＲＨの第１のアンテナは、第１のＣＲＳポートを作るために使用されうる。さらに、マクロｅＮｏｄｅＢおよびＲＲＨの第２のアンテナは、第２のＣＲＳポートを作るために使用されうる。前例では、４つ（例えば、マクロｅＮｏｄｅＢの２つとＲＲＨの２つ）のアンテナが存在する。全体的なプリコーディングベクトルは、[１ ０ １ ０]および[０ １ ０ １]である。マクロｅＮｏｄｅＢでのＣＲＳに使用されるプリコーディングベクトルは、[１ ０]、[０ １]である。このケースでＣＲＳを作るためにＲＲＨで使用されるプリコーディングベクトルもまた、[１ ０]、[０ １]である。ＣＲＳポートの数が、アンテナの数と同じである場合、１対１マッピング（one-to-one mapping）が適用されうる。アンテナの数がＣＲＳポートの数と異なる場合、仮想マッピングが適用される。
【００５６】
別の例において、マクロｅＮｏｄｅＢおよびＲＲＨのＣＲＳポートは補間的であり、基地局は各々、１つのアンテナ（例えば、１つの物理アンテナ）を有する。この例において、マクロｅＮｏｄｅＢは、ＣＲＳポート０を使用し、ＲＲＨは、ＣＲＳポート１を使用しうる。マクロｅＮｏｄｅＢおよびＲＲＨの両方から比較的強い信号を受信するＵＥは、両方のＣＲＳポート上で良好なチャネルを経験し、ＰＤＣＣＨのような制御チャネルにおいて送信ダイバーシティ利得から利益を得る可能性がある。加えて、ＵＥはまた、ＣＲＳベースのデータ送信において多入力多出力（ＭＩＭＯ）利得を取得しうる。マクロｅＮｏｄｅＢからまたはＲＲＨからしか信号を受信しないＵＥは、２つのＣＲＳポートにおける電力の著しい違いゆえに起こりうる性能インパクト、および、より高い基準信号オーバヘッド以外からは著しくインパクトを受けることはないと期待される。
【００５７】
別の例において、ＵＥは、各ＣＲＳポートの電力レベルがシグナリングされる。具体的に、異なるポートのＣＲＳ電力レベルは、ＣＲＳ仮想化により変化し、それは、ＵＥの性能にインパクトを与えうる。例えば、ＲＲＨのポートは、マクロｅＮｏｄｅＢのポートよりもかなり低い信号レベルを有しており、このケースにおいて、ＵＥは、そのような電力差分が知らされ、それによって、ＵＥは、差分により性能に対して与えられうるインパクトを減らすことができる。１つの例において、新しいＵＥが、この電力レベルについてシグナリングされうる。
【００５８】
１つの態様において、仮想化スキームが構成されると、ＣＲＳポートの各々は、アンテナの独立した組み合わせとして構成されうる。
【００５９】
１つの例において、仮想アンテナを作るための全体的なプリコーディングベクトルのセットは直交である。しかしながら、当業者は、非直交ソリューションを含む、任意の組み合わせが使用されうることを認識するだろう。１つの例において、ＲＲＨ単独のＣＲＳプリコーディングベクトルおよびマクロｅＮｏｄｅＢ単独のＣＲＳプリコーディングベクトルは、直交である。マクロｅＮｏｄｅＢだけに近いＵＥ、および、ＲＲＨだけに近いＵＥは、独立したＣＲＳを経験し（see）、それは、より良い性能を提供しうる。
【００６０】
ポートの数がアンテナの数よりも多い場合、直交ソリューションが常に可能とは限らない。例えば、ＲＲＨは、２つのアンテナしか有していないが、４つのＣＲＳポートがＵＥにアドバタイズされる。前の例において、ポート０および３に対して第１のアンテナを、ポート１および２に対して第２のアンテナを使用することによって、仮想アンテナがＲＲＨのために作られうる。独立したマッピングが可能でない場合、空間周波数ブロックコード化（ＳＦＢＣ）を向上させる／最適化するアンテナマッピングスキームが適用されうる。
【００６１】
いくつかの送信は、復号されるべきＣＲＳからのチャネル推定値に依存する。１つの例において、これらのチャネル推定は、同一のセル識別子を共有し、かつ、ＣＲＳポートを作るすべての送信ポイントに基づいて実行される。データ復号について、実際にデータを送信している送信ポイントに対応するチャネル推定が使用される。この目的を達成するために、ＣＲＳからのチャネル推定を使用するデータは、同じＣＲＳポートを使用して、すなわち、ＣＲＳを作り、送信するために使用されるＲＲＨおよびマクロのすべてのアンテナにわたって同一の仮想化スキーム（同一のビーム、同一のＴ２Ｐ、等）を使用して、送られる。１つの例において、これらの送信ポイントは、同一の時間および周波数リソースはもちろん、同一のビームおよびＴ２Ｐ（電力レベル）を使用して、ＣＲＳポートを作る。例えば、図５Ａから理解されるように、マクロセル（マクロｅＮｏｄｅＢとも呼ばれる）が、時間周波数リソース（並びに、Ｔ２Ｐおよびビーム）の特定のセット上でＣＲＳポート「ｐ」を用いて特定の信号「ｘ」を送信している場合、ポート「ｐ」上でＣＲＳを送信するすべてのＲＲＨ（図では２つしか示されていない）はまた、同一の時間周波数リソース（並びに、それらがポート「ｐ」を作るために使用したＴ２Ｐおよびビーム）で信号「ｘ」を送信する。これは、データ送信とＣＲＳからのチャネル推定とのマッチングを確実にする。
【００６２】
図５Ｂに示される別の例において、この条件は、緩和されうる。ＣＲＳベースの送信は、異なる送信ポイントに近く、他の送信ポイントからの非常に弱いチャネル条件を経験するＵＥのために並列で行われうる。例えば、ＵＥが特定の送信ポイントに近い場合、ＣＲＳベースのデータ送信は、そのたった１つの送信ポイントからのものでありうる。そのＵＥについてのＣＲＳからのチャネル推定は、複数の送信ポイントからのコンポーネントを含みうる。他の送信ポイントからのＣＲＳのコンポーネントが小さい場合、復号することは信頼性がある。別の例において、複数の送信ポイントからデータが送信されうるが、すべての送信ポイントがＣＲＳポートを備えるわけではない。
【００６３】
１つの例は、４つのＣＲＳポートについての特別な配慮に向けられる。図６Ａは、１つのリソースブロックについてのＣＲＳパターンの例を示す。特に、ＣＲＳポート０および１のＣＲＳ送信は、同一のＯＦＤＭシンボル上で送信されるように定義される。加えて、ＣＲＳポート２および３のＣＲＳ送信は、同一のＯＦＤＭシンボル（ＣＲＳポート０および１を含むＯＦＤＭシンボルとは異なる）上で送信される。１つの例において、４つのアンテナシステムでは、アンテナ１がポート０にマッピングされ、アンテナ２がポート１にマッピングされる。
【００６４】
図６Ｂ〜Ｄで見受けられるように、アンテナ仮想化は、ＣＲＳの高められた電力ブーストを取得するように構成されうる。特に、図６Ｂについて、最初の２つのシンボル（列）のトーン（行）のマッピングが示される。アンテナ０から送信されるシンボルは、ロケーション／トーン６１０からＣＲＳを送信している。アンテナ０は、ロケーション６１２で送信しておらず、ロケーション６１４でデータを送信している。この例では、各アンテナが電力「Ｐ」を有しており、電力Ｐは、各ロケーション６１４で送信される。アンテナ０がロケーション６１２で送信していないため、アンテナ０は、ロケーション６１０でＣＲＳ送信の電力をブーストすることができる。例えば、アンテナ０は、ロケーション６１０で、「２Ｐ」（すなわち、２倍の電力）を送信することができる。電力は、各アンテナで同様の仕方でブーストされうる。例えば、アンテナ２において、ロケーション６２２での送信に電力が使用されないため、ロケーション６２０で送信されたＣＲＳのために、電力がブーストされうる。特に、電力「２Ｐ]は、アンテナ２においてロケーション６２０で送信されうる。
【００６５】
別の例において、各ＲＲＨは、２つのアンテナを有し、４つのＣＲＳポートがアドバタイズされる。各アンテナは、２つのＣＲＳポートに対して使用されうる。
【００６６】
図６Ｃについて、アンテナ０は、ロケーション６３０でＣＲＳポート０およびＣＲＳポート１に使用されうる。アンテナ１は、ロケーション６３２においてＣＲＳポート２およびＣＲＳポート３に使用されうる。アンテナ０が第１のシンボル内のすべてのトーンを使用しているため（ＣＲＳを送信するために）、電力のブーストは不可能である。同様のことがアンテナ１に適用される。すなわち、すべてのトーンがロケーション６３２で使用されるため、電力のブーストは不可能でありうる。
【００６７】
あるいは、図６Ｄで示されるように、アンテナ０は、最初の２つのシンボルにおいて、ＣＲＳポート０およびＣＲＳポート３の両方を送信する。アンテナ１は、最初の２つのシンボルにおけるＣＲＳポート１およびＣＲＳポート２の両方を送信する。この構成において、電力のブーストが適用されうる。具体的に、アンテナ０がロケーション６３４（第１のシンボルにおけるポート０と第２のシンボルにおけるポート３）でＣＲＳを送信し、ロケーション６３６では何も送信しないため、ＣＲＳ送信がブーストされうる。例えば、アンテナ０は、ロケーション６３４で「２Ｐ」電力を送信することができる。
【００６８】
加えて、仮想化スキームは、ＳＦＢＣ−ＦＳＴＤ（空間周波数ブロック−符号周波数交換時間ドメイン）性能を向上させるように構成されうる。ＬＴＥにおけるＳＦＢＣ−ＦＳＴＤは、第１のペアがＣＲＳポート０および２を使用し、第２のペアがＣＲＳポート１および３を使用する２つのＳＦＢＣペアから構成される。１つの例において、取得されるダイバーシティ利得を増加させるために、アンテナ０および２は、独立して構成され、アンテナ１および３は、独立して構成される。例えば、２つのアンテナがＲＲＨに存在しており、４つのＣＲＳポートがアドバタイズされる場合、アンテナ０は、ＣＲＳポート０とＣＲＳポート２の両方に使用されうるが、そのＳＦＢＣペアについての完全な送信ダイバーシティをもたらさない可能性がある。一方で、前の例におけるマッピングの使用は、ダイバーシティを増加／最大化させる可能性が高い。
【００６９】
ＣＳＩ−ＲＳ送信
本開示の別の態様は、マクロｅＮｏｄｅＢおよび遠隔ラジオヘッド（ＲＲＨ）を有するネットワークに対してＣＳＩ−ＲＳ送信を構成することに向けられる。ＵＥは、信号がマクロ基地局（例えば、ｅＮｏｄｅＢ）から送信されたか、遠隔ラジオヘッドから送信されたかを決定する。１つの構成において、ＵＥは、ＣＳＩ−ＲＳを使用して、マクロセルに加えて、１または複数のＲＲＨのような複数のセルの存在を識別する。
【００７０】
ＣＳＩ−ＲＳ送信を用いる場合、マクロセルは、ＣＳＩ−ＲＳを第１のロケーションに送信し、ＲＲＨは、ＣＳＩ−ＲＳを、第１のロケーションとは異なる第２のロケーションに送信する。マクロセルとＲＲＨがＣＳＩ−ＲＳを送信している場合、それらは、ＣＲＳポートを形成するために使用されるすべてのマクロセルおよびＲＲＨからの送信をＣＲＳベースのデータが用いるため、それらのロケーションでＣＲＳベースのデータを使用して送信することができない。同一のリソース上の同一のセルによるＣＳＩ−ＲＳおよびＣＲＳの送信は不可能である。
【００７１】
マクロｅＮｏｄｅＢおよびＲＲＨは、同じ数または異なる数のＣＳＩ−ＲＳポートを作りうる。作られたＣＳＩ−ＲＳポートは、その送信ポイントで利用可能なアンテナの数よりも少ないまたは多い可能性がある。作られたＣＳＩ−ＲＳポートが利用可能なアンテナの数よりも少ない場合、アンテナの独立した組み合わせが望ましい。利用可能なアンテナよりも多くのＣＳＩ−ＲＳポートが作られた場合、ＣＳＩ−ＲＳアンテナポートは、独立していない可能性がある。例えば、同一のアンテナが複数のＣＳＩ−ＲＳポートに対して使用されうる。
【００７２】
１つの例において、ＲＲＨでの範囲拡張を可能にするために、マクロｅＮｏｄｅＢおよびＲＲＨのＣＳＩ−ＲＳポートは、直交リソース（リソースエレメントの異なるセットのような）上に位置付けされるように構成される。これにより、ＵＥは、マクロｅＮｏｄｅＢからのＣＳＩ−ＲＳと、ＲＲＨからのＣＳＩ−ＲＳとを区別することができる。
【００７３】
ＲＲＨに接続および／または関連付けられたＵＥについて、ＲＲＨのＣＳＩ−ＲＳポートは、セルのためのＣＳＩ−ＲＳポートとして示される。このように、チャネル推定は、示されたＲＲＨだけを説明する。レガシＵＥのような他のＵＥの場合、マクロｅＮｏｄｅＢ（簡単に「マクロ」とも呼ばれる）のＣＳＩ−ＲＳポートは、セルのＣＳＩ−ＲＳポートとして示されうる。マクロはまた、ＲＲＨのＣＳＩ−ＲＳロケーションをミューティングして、例えば、範囲拡張を可能にするために、ＲＲＨ ＣＳＩ−ＲＳのより良い浸透を可能にする。
【００７４】
ＣｏＭＰ（多地点協調）構成におけるジョイント送信のような別のアプリケーションにおいて、ＲＲＨおよびマクロｅＮｏｄｅＢからのＣＳＩ−ＲＳ送信は、異なる直交リソース上で構成されうるが、マクロｅＮｏｄｅＢおよびＲＲＨの両方のＣＳＩ−ＲＳポートを、同じセルのＣＳＩ−ＲＳポートとしてアドバタイズしうる。このように、ＣＳＩ−ＲＳポートからのチャネル推定は、実際のデータ送信ポイントと同時に起こる。例えば、ＲＲＨが２つのアンテナおよび２つのポートを有しており、マクロセルが２つのアンテナおよび２つのポートを有している場合、マクロセルおよびＲＲＨのＣＳＩ−ＲＳは、直交リソース上で送信し、４つのポートとしてＵＥにアドバタイズする。
【００７５】
異なるアンテナポートの電力レベルは変化しうる。ＬＴＥリリース１１において、ＵＥは、異なるアンテナポートのＣＳＩ−ＲＳの電力レベル、さらには、ミューティング等によるＣＳＩ−ＲＳの電力ブーストが知らされうる。１つの例において、新たなシグナリングは、レガシＵＥにアドバタイズされたものよりも多くのＣＳＩ−ＲＳパターンを含むように構成され、例えば、２つのＲＲＨおよび１つのマクロｅＮｏｄｅＢが使用されており、各々が４つのＣＳＩ−ＲＳポートを有する場合など、８つよりも多くのアンテナを有するケースを含みうる。
【００７６】
ピコおよびマクロポートが連続したトーンにある場合、マクロ／ピコおよび／またはＵＥの間での周波数オフセットにより、いくつかの漏洩（leakage）が生じうる。この漏洩は、異なるＣＳＩ−ＲＳポートの電力レベル差分により、推定性能に対してインパクトを与えうる。１つの例において、タイミングおよび周波数オフセットのインパクトを減らすために、異なるポートに対して異なるスクランブリングシーケンスが構成されうる。
【００７７】
別の例において、マクロセルおよびＲＲＨのＣＳＩ−ＲＳポートが組み合わせられうる。例えば、１つのアンテナのためのＣＳＩ−ＲＳは、より強い仮想ＣＳＩ−ＲＳアンテナポートを作るために、マクロｅＮｏｄｅＢのアンテナおよびＲＲＨのアンテナから構成されうる。
【００７８】
要約すると、ＣＳＩ−ＲＳポートは、マクロｅＮｏｄｅＢのアンテナだけ、ＲＲＨのアンテナだけ、または、マクロｅＮｏｄｅＢとＲＲＨのアンテナの組み合わせで構成されうる。ＵＥは、動作モード（例えば、ＣｏＭＰ、範囲拡張、等）、その性能、および、そのパス損失／チャネル条件／異なる送信ポイントからの距離、等に依存して、これらのＣＳＩ−ＲＳアンテナポートのサブセットまたは完全なセットがアドバタイズされうる。
【００７９】
異なるポートは、異なるデューティサイクルを有しうる。ＵＥが経験するＣＳＩ−ＲＳポート上に作られたＣＳＩ−ＲＳパターン／仮想アンテナは、サブフレームごとに変化しうる（例えば、ＣＳＩ−ＲＳパターンのオフセットおよび／または異なる周期性が、同じセルＩＤを有する異なる送信ポイントにわたって構成される場合）。レガシＵＥの場合、異なるサブフレームにわたるＣＳＩ−ＲＳポートの最小共有セットが示され、新しいＵＥの場合、サブフレーム依存型ＣＳＩ−ＲＳポートがシグナリングされうる。
【００８０】
いずれのＣＳＩ−ＲＳ構成にも気づいていないレガシＵＥの送信は、マクロｅＮｏｄｅＢおよびＲＲＨのＣＳＩ−ＲＳロケーションにおいてパンクチャされる。１つのＣＳＩ−ＲＳ構成に気づいているが、他のものには気づいていないＵＥへの送信は、ＣＳＩ−ＲＳリソースエレメント（ＲＥ）と、ＵＥに知られており、且つ他のセルのミューティングされていないＣＳＩ−ＲＳロケーションでパンクチャされたミューティング済みＲＥとの周りでレートマッチングされる。パンクチャリングを回避するために、そのようなＵＥにアドバタイズされるミューティングパターンは、ＵＥが気づいていない他のセルのＣＳＩ−ＲＳロケーションを含みうる。１つのセルからしか送られないＵＥ−ＲＳ（基準信号）ベースの送信に対してパンクチャリングは実行されない。例えば、１つのＲＲＨだけがＵＥ−ＲＳベースのデータをＵＥに送信している場合、このデータは、マクロセルがＣＳＩ−ＲＳを送信しているリソース上でＲＲＨによって送信され、マクロセルの送信に対して変更はなされない。
【００８１】
別の構成において、図７で示されるように、マクロ基地局（すなわち、マクロｅＮｏｄｅＢ）は、ＲＲＨのＣＳＩ−ＲＳリソースエレメント（ＲＥ）をミューティングして、ＲＲＨに対する範囲拡張を可能にする。ＲＲＨによるマクロｅＮｏｄｅＢのＣＳＩ−ＲＳのミューティングは、いくつかのレートマッチング問題を防止するために実施されうる。例えば、ＣＲＳベースの送信が範囲拡張モードでＵＥに対して使用されると、マクロＣＳＩ−ＲＳロケーションは、データ送信に対して使用されない。同じＵＥの場合、ＵＥ−ＲＳ（ユーザ機器−基準信号）ベースの送信が使用され（ＣＲＳベースの送信の代わりに）、データがＲＲＨアンテナからのみ送信されると、マクロのＣＳＩ−ＲＳロケーションは、データ送信に対して使用されうる。換言すると、ＣＲＳおよびＵＥ−ＲＳベースの送信に対して、異なるレートマッチングが用いられうる。別のソリューションは、ＲＲＨによるＵＥ−ＲＳベースのデータ送信に対してマクロセルのＣＳＩ−ＲＳリソースエレメントを使用し、マクロセルからＣＳＩ−ＲＳ／ミューティングされたＲＥを含むサブフレーム上でそのようなＵＥに対してＣＲＳベースの送信をスケジューリングしないことを含みうる。
【００８２】
ＣＳＩ−ＲＳスクランブリングシーケンスは、セルＩＤの関数である。ＣＳＩ−ＲＳ送信が複数の送信ポイントに対して同一のリソース上で行われる場合、ＣＳＩ−ＲＳに対する単一の周波数ネットワーク（ＳＦＮ）影響を回避するために、マクロｅＮｏｄｅＢおよびすべてのＲＲＨのＣＳＩ−ＲＳは、異なるロケーションで送信されうる。信用強度は、離れているＲＲＨの距離にしたがって減少し、ＣＳＩ−ＲＳに対するＳＦＮインパクトが、それほど性能にインパクトを与えないため、互いに離れているＲＲＨのＣＳＩ−ＲＳに同じロケーションを使用することができる。十分なロケーションが利用可能でない場合（すなわち、ＣＳＩ−ＲＳが同一のロケーションで送信される必要がある場合）、同じセルＩＤに対して同じロケーションＣＳＩ−ＲＳ上で、異なるスクランブリングシーケンスが可能にされうる。
【００８３】
初期獲得および関連付け
リリース８のＬＴＥシステムにおいて、ＵＥは、セルＩＤの関数である基地局からの同期信号を探索することによって基地局を識別する。マクロ基地局およびＲＲＨのすべてが同じセルＩＤを有する場合、それらは、同じ同期信号を同じロケーションで送信する。これらの同期信号から、ＵＥがマクロ基地局を識別することは不可能である。マクロセルおよび／またはＲＲＨを識別する際にＵＥを支援するために様々な構成が用いられうる。
【００８４】
特に、プライマリ同期信号（ＰＳＳ）およびセカンダリ同期信号（ＳＳＳ）は、ＲＲＨによって送信されうるか、あるいは、送信されない可能性がある。信号が送信される場合、ＵＥは、ＲＲＨおよびマクロｅＮｏｄｅＢによって送られたＰＳＳとＳＳＳの組み合わせである１つの信号（ＰＳＳ，ＳＳＳ）を経験する可能性が高い。ＲＲＨが１つの送信（Ｔｘ）アンテナしか有しておらず、ｅＮｏｄｅＢが１つの送信（Ｔｘ）アンテナを有する場合、あるいは、それらが両方とも、ある時間にわたりアンテナに対して同じビーム／同じ位相を使用する場合、ｅＮｏｄｅＢおよびＲＲＨのアンテナでＰＳＳ／ＳＳＳの位相を回転させることは、効率的なＰＳＳおよびＳＳＳビームをランダム化することによって、定常のＵＥのためのサーチャ性能を向上させうる。
【００８５】
１つの構成において、ＣＲＳがＲＲＨによって送信される場合、物理ブロードキャストチャネル（ＰＢＣＨ）およびシステム情報ブロック（ＳＩＢ）はまた、ＲＲＨによって送信されるように構成される。アドバタイズされたアンテナの数を含む、ＰＢＣＨ、ＳＩＢ、等の内容は、ＣＲＳを送信しているすべての送信ポイントに共通なものとして構成される（すなわち、マクロｅＮｏｄｅＢと同じである）。１つの例において、いくつかは、より少ない数のアンテナポートに対してＣＲＳを送信するだけであり、一方で、他のアンテナポートのＣＲＳリソースエレメントをブランクにする。
【００８６】
１つの構成において、ＲＲＨ間で区別する際にＵＥを支援するために、ＲＲＨは、新しい信号を使用してそれ自体をアドバタイズし、ＳＩＢでシグナリングしうる。あるいは、ＲＲＨを識別する際にＵＥを支援するための別の構成において、ＵＥは、ＣＳＩ−ＲＳを探す。特に、マクロおよびＲＲＨのＣＳＩ−ＲＳが別々のリソース上にある場合、ＵＥは、特定のロケーションでＣＳＩ−ＲＳを探すことによって、ＲＲＨを探索するように指示される。加えて、ｅＮｏｄｅＢ／ＲＲＨは、ロケーション、スクランブリングシーケンス、ポートの数、周期性、サブフレームオフセット、電力レベル、および、ＲＲＨ／他の新しい識別信号のＣＳＩ−ＲＳの探索を可能にする他の構成情報のうちの１または複数を示すことによってＵＥを支援しうる。
【００８７】
ＵＥは、ＲＲＨを識別するために、ＣＳＩ−ＲＳおよび／または新しい信号を使用し、パス損失、等を推定しうる。これは、次に、どの局に接続するか、および／または、ＵＥが範囲拡張を使用してサービス提供されうるか否かを決定するために、ＵＥによって使用され、および／または、ｅＮｏｄｅＢに報告されうる。ＵＥは、ＣＳＩ−ＲＳを使用して、ＲＲＨを検出し、異なＲＲＨへのパス損失、信号強度、を推定しうる。このように、そのような情報を有しうるＵＥへのユニキャスト、あるいは、この情報を使用するいくつかのＵＥまたはすべてのＵＥへのブロードキャストのいずれかで、ＣＳＩ−ＲＳ構成に異なるＣＳＩ−ＲＳポート、等の送信電力レベルを含ませることは有益でありうる。
【００８８】
別の例において、ｅＮｏｄｅＢおよびＲＲＨは、サウンディング基準信号（ＳＲＳ）のようなアップリンクチャネルの測定値に基づいて、および、ＵＥの性能に基づいて、ＵＥがどのようにサービス提供されるか（例えば、ＣＲＳ／ＵＥ−ＲＳ送信モード、範囲拡張、等）を決定する。異なるＲＲＨおよびマクロｅＮｏｄｅＢは、同一のＳＲＳに対してアップリンク測定を行う。この測定値は、マクロｅＮｏｄｅＢに転送されうる。ＵＥは、それが範囲拡張に対応したＵＥである場合（例えば、それが、ＵＥ−ＲＳベースの送信を使用してサービス提供されうる場合）、パス損失が最小のＲＲＨ／マクロに関連づけられる。ＵＥへのいくつかの送信（例えば、データ）は、ＲＲＨからのものであり、他の送信は、マクロｅＮｏｄｅＢからのみ発生しうるか、あるいは、マクロｅＮｏｄｅＢとＲＲＨの両方のジョイント送信から発生しうる。そのような送信は、例えば、制御チャネル／ＳＩＢ／ＰＢＣＨ、等を含む。
【００８９】
図８Ａ〜８Ｄは、遠隔ラジオヘッド構成に関連した方法８０１、８０２、８０３、８０４を示す。特に、図８Ａは、遠隔ラジオヘッド（ＲＲＨ）を有するネットワークにおいてＣＲＳ送信を構成するために方法８０１を示す。ブロック８１０において、ＣＲＳ仮想化スキームが選択される。仮想化スキームは、ＲＲＨのＣＲＳアンテナポートの数を、マクロｅＮｏｄｅＢのＣＲＳアンテナポートの数とマッチングさせる。ブロック８１２において、ＣＲＳは、選択された仮想化スキームを使用して送信している。
【００９０】
図８Ｂは、遠隔ラジオヘッド（ＲＲＨ）を有するネットワークにおいてＣＳＩ−ＲＳ送信を構成する方法８０２を示す。ブロック８２０において、チャネル状態情報基準信号（ＣＳＩ−ＲＳ）構成が選択される。ＣＳＩ−ＲＳ構成は、マクロｅＮｏｄｅＢおよび複数のＲＲＨでＣＳＩ−ＲＳポートを作る。ブロック８２２において、ＣＳＩ−ＲＳは、選択されたＣＳＩ−ＲＳ構成にしたがって送信される。
【００９１】
図８Ｃは、遠隔ラジオヘッドに関連づけるために方法８０３を示す。ブロック８３０において、ＲＲＨは、明示的にシグナリングすることによって、あるいは、ＲＲＨに関連付けられたＣＳＩ−ＲＳ信号を位置付けすることによって、識別される。ブロック８３２において、ＵＥは、識別されたＲＲＨに接続するか否かを決定する。
【００９２】
図８Ｄは、遠隔ラジオヘッド（ＲＲＨ）を有するネットワークを構成する方法８００４を示す。ブロック８４０において、マクロｅＮｏｄｅＢは、アップリンク信号を測定する。ブロック８４２において、マクロｅＮｏｄｅＢは、遠隔ラジオヘッドからアップリンク信号の測定を受信する。ブロック８４４において、マクロｅＮｏｄｅＢは、測定値に基づいて、マクロｅＮｏｄｅＢからＵＥにサービス提供するか、ＲＲＨからＵＥにサービス提供するかを決定する。
【００９３】
１つの構成において、ｅＮｏｄｅＢ １１０は、選択する手段を含む無線通信のために構成される。１つの態様では、選択する手段は、測定する手段によって列挙された機能を実行するように構成されたコントローラプロセッサ４４０とメモリ４４２でありうる。ｅＮｏｄｅＢ １１０はまた、送信する手段を含むように構成される。１つの態様において、送信する手段は、送信する手段によって列挙された機能を実行するように構成された、送信プロセッサ４２０、送信ＭＩＭＯプロセッサ４３０、変調器4３２ａ〜ｔ、および／または、アンテナ４３４ａ〜ｔでありうる。別の態様において、上述された手段は、上述された手段によって列挙された機能を実行するように構成されたモジュールあるいは任意の装置でありうる。
【００９４】
１つの構成において、ＵＥ １２０は、識別する手段を含む無線通信のために構成される。１つの態様では、識別する手段は、識別する手段によって列挙された機能を実行するように構成されたコントローラ／プロセッサ４８０とメモリ４８２でありうる。ＵＥ １２０はまた、決定する手段を含むように構成される。１つの態様において決定する手段は、決定する手段によって列挙された機能を実行するように構成されたコントローラ／プロセッサ４８０とメモリ４８２でありうる。別の態様において、上述された手段は、上述された手段によって列挙された機能を実行するように構成されたモジュールあるいは任意の装置でありうる。
【００９５】
１つの構成において、ｅＮｏｄｅＢ １１０は、測定する手段を含む無線通信のために構成される。１つの態様において、測定する手段は、選択する手段によって列挙された機能を実行するように構成されたコントローラプロセッサ４４０とメモリ４４２でありうる。ｅＮｏｄｅＢ １１０はまた、受信する手段を含むように構成される。ｅＮｏｄｅＢ １１０はまた、決定する手段を含むように構成される。１つの態様において、受信する手段は、受信する手段によって列挙された機能を実行するように構成された受信プロセッサ４３８、送信ＭＩＭＯ検出器４３６、復調器４３２ａ〜ｔ、コントローラ／プロセッサ４３０、およびアンテナ４３４ａ〜ｔでありうる。ｅＮｏｄｅＢ １１０はまた、決定する手段を含むように構成される。１つの態様において、決定する手段は、サービス提供する手段によって列挙された機能を実行するように構成されたコントローラプロセッサ４４０とメモリ４４２でありうる。別の態様において、上述された手段は、上述された手段によって列挙された機能を実行するように構成されたモジュールあるいは任意の装置でありうる。
【００９６】
図９は、ｅＮｏｄｅＢ １１０による使用のために処理システム９４０を用いる装置１００’のためのハードウェア実現の例を示す図である。処理システム９４０は、バス９２４として概して表されている、バスアーキテクチャを用いて実現されうる。バス９２４は、処理システム９４０の特定のアプリケーションと全体的な設計の制約に依存して、任意の数の相互接続バスおよびブリッジを含みうる。バス９２４は、プロセッサ９４４、モジュール９０２、９０４、９０６、９０８、９０９、および、コンピュータ読取可能な媒体９４６で表される１または複数のプロセッサおよび／またはハードウェアモジュールを含む様々な回路を互いにリンクする。バス９２４はまた、タイミングソース、周辺機器、電圧レギュレータ、電力管理回路といった様々な他の回路をリンクするが、これらは、当技術分野において周知であることから、これ以上説明されない。
【００９７】
装置は、トランシーバ９２２に結合された処理システム９４０を含む。トランシーバ９２２は、１または複数のアンテナ９２０に結合される。トランシーバ９２２は、送信媒体を介して様々な他の装置と通信するための手段を提供する。処理システム９４０は、コンピュータ読取可能な媒体９４６に結合されたプロセッサ９４４を含む。プロセッサ９４４は、コンピュータ読取可能な媒体９４６に記憶されたソフトウェアの実行を含む一般的な処理に対して責任を有している。このソフトウェアは、プロセッサ９４４によって実行されると、処理システム９４０に対して、任意の特定の装置に関して上で説明された様々な機能を実行させる。コンピュータ読取可能な媒体９４６はまた、ソフトウェアを実行する際にプロセッサ９４４によって処理（manipulate）されるデータを記憶するために使用されうる。処理システムはさらに、モジュール９０２、９０４、９０６、９０８、９０９を含む。モジュールは、プロセッサ９４４で実行し、コンピュータ読取可能な媒体９４６に存在／記憶されたソフトウェアモジュール、プロセッサ９４４に結合された１または複数のハードウェアモジュール、あるいは、それらの組み合わせでありうる。処理システム９４４は、ｅＮＢ １１０のコンポーネントであり、メモリ４４２、および／または、ＴＸプロセッサ４３０、ＲＸプロセッサ４３８、コントローラ／プロセッサ４４０のうちの少なくとも１つを含みうる。
【００９８】
図１０は、ＵＥ １２０によって使用される処理システム１０４０を用いる装置１０００のためのハードウェア実現の例を示す図である。処理システム１０４０は、バス１０２４として概して表されている、バスアーキテクチャを用いて実現されうる。バス１０２４は、処理システム１０４０の特定のアプリケーションと全体的な設計の制約に依存して、任意の数の相互接続バスおよびブリッジを含みうる。バス１０２４は、プロセッサ１０４４、モジュール１００２および１００４、並びに、コンピュータ読取可能な媒体１０４６によって表される１または複数のプロセッサおよび／またはハードウェアモジュールを含む様々な回路を互いにリンクする。バス１０２４はまた、タイミングソース、周辺機器、電圧レギュレータ、電力管理回路といった様々な他の回路をリンクするが、これらは、当技術分野において周知であることから、これ以上説明されない。
【００９９】
装置は、トランシーバ１０２２に結合された処理システム１０４０を含む。トランシーバ１０２２は、１または複数のアンテナ１０２０に結合される。トランシーバ１０２２は、送信媒体を介して様々な他の装置と通信するための手段を提供する。処理システム１０４０は、コンピュータ読取可能な媒体１０４６に結合されたプロセッサ１０４４を含む。プロセッサ１０４４は、コンピュータ読取可能な媒体１０４６に記憶されたソフトウェアの実行を含む一般的な処理に対して責任を有している。このソフトウェアは、プロセッサ１０４４によって実行されると、処理システム１０４０に対して、任意の特定の装置に関して上で説明された様々な機能を実行させる。コンピュータ読取可能な媒体１０４６はまた、ソフトウェアを実行する際にプロセッサ１０４４によって処理されるデータを記憶するために使用されうる。処理システムは、さらに、モジュール１００２および１００４を含む。モジュールは、プロセッサ１０４４で実行し、コンピュータ読取可能な媒体１０４６に存在／記憶されたソフトウェアモジュール、プロセッサ１０４４に結合された１または複数のハードウェアモジュール、あるいは、それらの組み合わせでありうる。処理システム１０４４は、ＵＥ １２０のコンポーネントであり、メモリ４８２、および／または、ＴＸプロセッサ４６４、ＲＸプロセッサ４５８、コントローラ／プロセッサ４８０のうちの少なくとも１つを含みうる。
【０１００】
１つの構成において、無線通信のための装置１０００は、識別する手段および決定する手段を含む。上述された手段は、上述された手段によって列挙された機能を実行するように構成された装置１０００の上述されたモジュールおよび／または装置１０００の処理システム１０４４のうちの１または複数でありうる。先に述べたように、処理システム１０４４は、ＴＸプロセッサ４６４と、ＲＸプロセッサ４５８と、コントローラ／プロセッサ４８０とを含みうる。
【０１０１】
当業者はさらに、本明細書の開示に関連して説明された様々な実例となる論理ブロック、モジュール、回路、およびアルゴリズムのステップが、電子ハードウェア、コンピュータソフトウェア、または両方の組み合わせとして実現されうることを理解するだろう。ハードウェアとソフトウェアとのこの互換性を明確に説明するために、様々な実例となるコンポーネント、ブロック、モジュール、回路、およびステップが、それらの機能の観点で一般的に上述されている。そのような機能がハードウェアとして実現されるかソフトウェアとして実現されるかは、特定のアプリケーションおよびシステム全体に課された設計の制約に依存する。当業者は、特定のアプリケーションごとに様々な方法で説明された機能を実現することができるが、そのような実現の決定は、本開示の範囲からの逸脱するものとして解釈されるべきではない。
【０１０２】
本明細書の開示に関連して説明された、様々な実例となる論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは、本明細書で説明された機能を実行するように設計されたそれらの任意の組み合わせを用いて、実現または実行されることができる。汎用プロセッサは、マイクロプロセッサでありうるが、代替的に、このプロセッサは、任意の従来のプロセッサ、コントローラ、マイクロコントローラ、またはステートマシンでありうる。プロセッサはまた、コンピューティングデバイスの組み合わせ、例えば、ＤＳＰと、１つのマイクロプロセッサ、複数のマイクロプロセッサ、ＤＳＰコアと結合された１または複数のマイクロプロセッサとの組み合わせ、あるいは任意の他のそのような構成として、実現されうる。
【０１０３】
本明細書の開示に関連して説明された方法またはアルゴリズムのステップは、直接的にハードウェアに、プロセッサによって実行されるソフトウェアモジュールに、あるいは、それら２つの組み合わせに組み込まれうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、取り外し可能なディスク、ＣＤ−ＲＯＭ、または当技術分野において周知であるその他の形態の記憶媒体に存在しうる。例示的な記憶媒体は、プロセッサが記憶媒体から情報を読み取り、記憶媒体に情報を書き込むように、プロセッサに結合される。代替的に、記憶媒体は、プロセッサに一体化されうる。プロセッサと記憶媒体とは、ＡＳＩＣに存在しうる。ＡＳＩＣは、ユーザ端末に存在しうる。代替的に、プロセッサと記憶媒体は、ユーザ端末においてディスクリートコンポーネントとして存在しうる。
【０１０４】
１または複数の例示的な設計において、説明された機能は、ハードウェア、ソフトウェア、ファームウェア、またはそれらの任意の組み合わせで実現されうる。ソフトウェアで実現される場合、機能は、コンピュータ読取可能な媒体上の１または複数の命令またはコードとして、記憶または送信されうる。コンピュータ読取可能な媒体は、ある場所から別の場所へのコンピュータプログラムの移送を容易にする任意の媒体を含む通信媒体とコンピュータ記憶媒体との両方を含む。記憶媒体は、汎用コンピュータまたは専用によってアクセスされることができる任意の入手可能な媒体でありうる。限定ではなく例として、そのようなコンピュータ読取可能な媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、命令またはデータ構造の形態で所望のプログラムコード手段を搬送または記憶するために使用されることができ、汎用コンピュータまたは専用コンピュータ、あるいは汎用プロセッサまたは専用プロセッサによってアクセスされることができる任意の他の媒体を含むことができる。さらに、任意の接続は厳密には、コンピュータ読取可能な媒体と称される。例えば、ソフトウェアが、ウェブサイト、サーバ、または他のリモート・ソースから、同軸ケーブル、光ファイバーケーブル、ツイストペア、デジタル加入者回線（ＤＳＬ）、または赤外線、ラジオ、およびマイクロ波のような無線技術を使用して送信される場合、同軸ケーブル、光ファイバーケーブル、ツイストペア、ＤＳＬ、または赤外線、ラジオ、およびマイクロ波のような無線技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスクおよびブルーレイ（登録商標）ディスクを含む。ここで、ディスク（disks）は、通常磁気的にデータを再生し、ディスク（discs）は、レーザーを用いて光学的にデータを再生する。上記の組み合わせもまた、コンピュータ可読媒体の範囲内に含まれるべきである。
【０１０５】
本開示の先の説明は、本開示を製造または使用することをいずれの当業者にも可能にさせるために提供されている。本開示に対する様々な変更は、当業者に容易に理解され、本明細書で定義された包括的な原理は、本開示の精神または範囲から逸脱せずに、他の変形例に適用されることができる。このように、本開示は、本明細書に示された例および設計に限定されることを意図しておらず、本明細書に開示された原理および新規な特徴と一致する最も広い範囲が付与されるべきである。
以下に本願の当初の特許請求の範囲に記載された発明を付記する。
［１］無線通信の方法であって、
遠隔ラジオヘッド（ＲＲＨ）の共通基準信号（ＣＲＳ）アンテナポートの数を、マクロｅＮｏｄｅＢのＣＲＳアンテナポートの数とマッチングさせるように共通基準信号（ＣＲＳ）仮想化スキームを選択することと、
前記仮想化スキームを使用して前記ＣＲＳを送信することと
を備える、方法。
［２］前記ＲＲＨおよび前記マクロｅＮｏｄｅＢの前記ＣＲＳアンテナポートの数は同じである、［１］に記載の方法。
［３］各送信ポイントの前記ＣＲＳアンテナポートが互いに線形独立であるＣＲＳ仮想化スキームを選択することをさらに備える、［１］に記載の方法。
［４］共通基準信号（ＣＲＳ）ベースの復号スキームが用いられる場合に、ビームおよび電力レベルの同じセットを使用して、データと基準信号の両方を送信することをさらに備える、［１］に記載の方法。
［５］電力ブーストを増加させるＣＲＳ仮想化スキームを選択することをさらに備える、請求項１に記載の方法。
［６］ＳＦＢＣ（空間周波数クロックコード）／ＳＦＢＣ−ＦＳＴＤ（周波数シフト時間ダイバーシティ）性能を向上させるために、ＣＲＳ仮想化スキームを選択することをさらに備える、［１］に記載の方法。
［７］ＵＥが任意のＣＲＳアンテナポート間の送信電力レベル差分を決定することを可能にするために前記ＵＥにシグナリングすることをさらに備える、［１］に記載の方法。
［８］無線通信の方法であって、
マクロｅＮｏｄｅＢおよび複数の遠隔ラジオヘッド（ＲＲＨ）でＣＳＩ−ＲＳポートを作るようにチャネル状態情報基準信号（ＣＳＩ−ＲＳ）構成を選択することと、
前記選択されたＣＳＩ−ＲＳ構成にしたがってＣＳＩ−ＲＳを送信することと
を備える方法。
［９］ＵＥ−基準信号（ＲＳ）のための第１のパンクチャリングパターンと、ＣＲＳベースのデータ送信のための第２のパンクチャリングパターンを提供することをさらに備える、請求項８に記載の方法。
［１０］前記ＲＲＨおよび前記マクロｅＮｏｄｅＢのＣＳＩ−ＲＳを直交リソースで送信することをさらに備える、［８］に記載の方法。
［１１］ユーザ機器（ＵＥ）をマクロｅＮｏｄｅＢおよび遠隔ラジオヘッドのうちの１つと関連付けることと、
前記関連付けに基づいてＣＳＩ−ＲＳ構成を前記ＵＥにアドバタイズすることと
をさらに備える、［８］に記載の方法。
［１２］複数のＣＳＩ−ＲＳ構成をユーザ機器（ＵＥ）にアドバタイズすることと、
複数の基地局のチャネル品質についてのフィードバックを前記ＵＥから受信することと
をさらに備える、［８］に記載の方法。
［１３］ＲＲＨおよびマクロｅＮｏｄｅＢに対応するミューティングパターンをシグナリングすることをさらに備える、［８］に記載の方法。
［１４］異なるＣＳＩ−ＲＳポートに対して、異なるスクランブリングシーケンスを構成することをさらに備える、［８］に記載の方法。
［１５］セルＩＤに対応する少なくとも２つの異なるＣＳＩ−ＲＳスクランブリングシーケンスを構成することをさらに備える、［８］に記載の方法。
［１６］どのスクランブリングシーケンスを使用するかをユーザ機器（ＵＥ）にシグナリングすることをさらに備える、［１５］に記載の方法。
［１７］送信スキーム、ユーザ機器（ＵＥ）の性能、パス損失／チャネル条件、および、異なる送信ポイントからの距離のうちの少なくとも１つに基づいてチャネル状態情報基準信号（ＣＳＩ−ＲＳ）をアドバタイズすることをさらに備える、［８］に記載の方法。
［１８］前記アドバタイズすることは、ＵＥが異なるＲＲＨを位置付け、パス損失を測定することを可能にするために、少なくとも１つのＲＲＨおよび／またはマクロｅＮｏｄｅＢのＣＳＩ−ＲＳをアドバタイズすることを備える、［８］に記載の方法。
［１９］ＵＥが任意の２つのＣＳＩ−ＲＳポート間の送信電力レベル差分を決定することを可能にするために、前記ＵＥにシグナリングすることをさらに備える、［８］に記載の方法。
［２０］ＵＥが同じ送信ポイントの複数のＣＳＩ−ＲＳポート間の送信電力レベル差分を決定することを可能にするために、前記ＵＥにシグナリングすることをさらに備える、［８］に記載の方法。
［２１］無線通信の方法であって、
遠隔ラジオヘッド（ＲＲＨ）から明示的にシグナリングすること、あるいは、前記ＲＲＨに関連付けられたチャネル状態情報基準信号（ＣＳＩ−ＲＳ）を位置付けることのいずれかによって、前記ＲＲＨを識別することと、
前記識別されたＲＲＨに接続するか否かを決定することと
を備える方法。
［２２］無線通信の方法であって、
アップリンク信号を測定することと、
遠隔ラジオヘッド（ＲＲＨ）から受信される、前記アップリンク信号の測定値を受信することと、
マクロ基地局および前記ＲＲＨのうちの１つからＵＥにサービス提供するかを、前記測定値に基づいて決定することと
を備える方法。
［２３］無線通信のための装置であって、
メモリと、
前記メモリに結合された少なくとも１つのプロセッサと、
を備え、前記少なくとも１つのプロセッサは、
遠隔ラジオヘッド（ＲＲＨ）の共通基準信号（ＣＲＳ）アンテナポートの数を、マクロｅＮｏｄｅＢのＣＲＳアンテナポートの数とマッチングさせるように共通基準信号（ＣＲＳ）仮想化スキームを選択し、
前記仮想化スキームを使用して、前記ＣＲＳを送信する
ように構成される、装置。
［２４］前記ＲＲＨおよび前記マクロｅＮｏｄｅＢの前記ＣＲＳアンテナポートの数は同じである、［２３］に記載の装置。
［２５］各送信ポイントの前記ＣＲＳアンテナポートが互いに線形独立であるＣＲＳ仮想化スキームを選択することをさらに備える、［２３］に記載の装置。
［２６］前記プロセッサはさらに、共通基準信号（ＣＲＳ）ベースの復号スキームが用いられる場合に、ビームおよび電力レベルの同じセットを使用して、データと基準信号の両方を送信するように構成される、［２３］に記載の装置。
［２７］前記プロセッサはさらに、電力ブーストを増加させるＣＲＳ仮想化スキームを選択するように構成される、［２３］に記載の装置。
［２８］前記プロセッサはさらに、ＳＦＢＣ（空間周波数クロックコード）／ＳＦＢＣ−ＦＳＴＤ（周波数シフト時間ダイバーシティ）性能を向上させるために、ＣＲＳ仮想化スキームを選択するように構成される、［２３］に記載の装置。
［２９］前記プロセッサはさらに、ＵＥが任意のＣＲＳアンテナポート間の送信電力レベル差分を決定することを可能にするために、前記ＵＥにシグナリングするように構成される、請求項２３に記載の装置。
［３０］無線通信のための装置であって、
メモリと、
前記メモリに結合された少なくとも１つのプロセッサと、
を備え、
前記少なくとも１つのプロセッサは、
マクロｅＮｏｄｅＢおよび複数の遠隔ラジオヘッド（ＲＲＨ）でＣＳＩ−ＲＳポートを作るようにチャネル状態情報基準信号（ＣＳＩ−ＲＳ）構成を選択し、
前記選択されたＣＳＩ−ＲＳ構成にしたがってＣＳＩ−ＲＳを送信する
ように構成される、装置。
［３１］前記プロセッサはさらに、ＵＥ−基準信号（ＲＳ）のための第１のパンクチャリングパターンと、ＣＲＳベースのデータ送信のための第２のパンクチャリングパターンを提供するように構成される、［３０］に記載の装置。
［３２］前記プロセッサはさらに、前記ＲＲＨおよび前記マクロｅＮｏｄｅＢのＣＳＩ−ＲＳを直交リソース上で送信するように構成される、［３０］に記載の装置。
［３３］前記プロセッサはさらに、
ユーザ機器（ＵＥ）をマクロｅＮｏｄｅＢおよび遠隔ラジオヘッドのうちの１つと関連付け、
前記関連付けに基づいてＣＳＩ−ＲＳ構成を前記ＵＥにアドバタイズする
ように構成される、［３０］に記載の装置。
［３４］前記プロセッサはさらに、
複数のＣＳＩ−ＲＳ構成をユーザ機器（ＵＥ）にアドバタイズし、
複数の基地局のチャネル品質についてのフィードバックを前記ＵＥから受信する
ように構成される、［３０］に記載の装置。
［３５］前記プロセッサはさらに、ＲＲＨおよびマクロｅＮｏｄｅＢに対応するミューティングパターンをシグナリングするように構成される、［３０］に記載の装置。
［３６］前記プロセッサはさらに、異なるＣＳＩ−ＲＳポートし対して異なるスクランブリングシーケンスを構成するように構成される、［３０］に記載の装置。
［３７］前記プロセッサはさらに、セルＩＤに対応する少なくとも２つの異なるＣＳＩ−ＲＳスクランブリングシーケンスを構成するように構成される、［３０］に記載の装置。
［３８］前記プロセッサはさらに、どのスクランブリングシーケンスを使用するかをユーザ機器（ＵＥ）にシグナリングするように構成される、［３７］に記載の装置。
［３９］前記プロセッサはさらに、送信スキーム、ユーザ機器（ＵＥ）の性能、パス損失／チャネル条件、および、異なる送信ポイントからの距離のうちの少なくとも１つに基づいてチャネル状態情報基準信号（ＣＳＩ−ＲＳ）をアドバタイズするように構成される、請求項３０に記載の装置。
［４０］前記プロセッサはさらに、ＵＥが異なるＲＲＨを位置付け、パス損失を測定することを可能にするために、少なくとも１つのＲＲＨおよび／またはマクロｅＮｏｄｅＢのＣＳＩ−ＲＳをアドバタイズするように構成される、［３０］に記載の装置。
［４１］前記プロセッサはさらに、ＵＥが任意の２つのＣＳＩ−ＲＳポート間の送信電力レベル差分を決定することを可能にするために、前記ＵＥにシグナリングするように構成される、［３０］に記載の装置。
［４２］前記プロセッサはさらに、ＵＥが同じ送信ポイントの複数のＣＳＩ−ＲＳポート間の送信電力レベル差分を決定することを可能にするために、前記ＵＥにシグナリングするように構成される、［３０］に記載の装置。
［４３］無線通信のための装置であって、
メモリと、
前記メモリに結合された少なくとも１つのプロセッサと、
を備え、前記少なくとも１つのプロセッサは、
遠隔ラジオヘッド（ＲＲＨ）から明示的にシグナリングすること、あるいは、前記ＲＲＨに関連付けられたチャネル状態情報基準信号（ＣＳＩ−ＲＳ）を位置付けることのいずれかによって、前記ＲＲＨを識別し、
前記識別されたＲＲＨに接続するか否かを決定する
ように構成される装置。
［４４］無線通信のための装置であって、
メモリと、
前記メモリに結合された少なくとも１つのプロセッサと、
を備え、前記少なくとも１つのプロセッサは、
アップリンク信号を測定し、
遠隔ラジオヘッド（ＲＲＨ）から受信される、前記アップリンク信号の測定値を受信し、
マクロ基地局および前記ＲＲＨのうちの１つからＵＥにサービス提供するかを、前記測定値に基づいて決定する
ように構成される、装置。
［４５］無線ネットワークにおける無線通信のためのコンピュータプログラム製品であって、
非一時的なコンピュータ読取可能な媒体を備え、前記非一時的なコンピュータ読取可能な媒体は、非一時的なプログラムコードを格納し、前記プログラムコードは、
遠隔ラジオヘッド（ＲＲＨ）の共通基準信号（ＣＲＳ）アンテナポートの数を、マクロｅＮｏｄｅＢのＣＲＳアンテナポートの数とマッチングさせるために、共通基準信号（ＣＲＳ）仮想化スキームを選択するプログラムコードと、
前記仮想化スキームを使用して前記ＣＲＳを送信するプログラムコードと
を備える、コンピュータプログラム製品。
［４６］無線ネットワークにおける無線通信のためのコンピュータプログラム製品であって、
非一時的なコンピュータ読取可能な媒体を備え、前記非一時的なコンピュータ読取可能な媒体は、非一時的なプログラムコードを格納し、前記プログラムコードは、
マクロｅＮｏｄｅＢおよび複数の遠隔ラジオヘッド（ＲＲＨ）でＣＳＩ−ＲＳポートを作るように、チャネル状態情報基準信号（ＣＳＩ−ＲＳ）構成を選択するプログラムコードと、
前記選択されたＣＳＩ−ＲＳ構成にしたがってＣＳＩ−ＲＳを送信するプログラムコードと
を備える、コンピュータプログラム製品。
［４７］無線ネットワークにおける無線通信のためのコンピュータプログラム製品であって、
非一時的なコンピュータ読取可能な媒体を備え、前記非一時的なコンピュータ読取可能な媒体は、非一時的なプログラムコードを格納し、前記プログラムコードは、
遠隔ラジオヘッド（ＲＲＨ）から明示的にシグナリングすること、あるいは、前記ＲＲＨに関連付けられたチャネル状態情報基準信号（ＣＳＩ−ＲＳ）を位置付けすることのいずれかによって、前記ＲＲＨを識別するプログラムコードと、
前記識別されたＲＲＨに接続するか否かを決定するプログラムコードと
を備える、コンピュータプログラム製品。
［４８］無線ネットワークにおける無線通信のためのコンピュータプログラム製品であって、
非一時的なコンピュータ読取可能な媒体を備え、前記非一時的なコンピュータ読取可能な媒体は、非一時的なプログラムコードを格納し、前記プログラムコードは、
アップリンク信号を測定するプログラムコードと、
遠隔ラジオヘッド（ＲＲＨ）から受信される、前記アップリンク信号の測定値を受信するプログラムコードと、
マクロ基地局および前記ＲＲＨのうちの１つからＵＥにサービス提供することを、前記測定値に基づいて決定するプログラムコードと
を備える、コンピュータプログラム製品。
［４９］無線通信のための装置であって、
遠隔ラジオヘッド（ＲＲＨ）の共通基準信号（ＣＲＳ）アンテナポートの数を、マクロｅＮｏｄｅＢのＣＲＳアンテナポートの数とマッチングさせるように共通基準信号（ＣＲＳ）仮想化スキームを選択する手段と、
前記仮想化スキームを使用して前記ＣＲＳを送信する手段と
を備える、装置。
［５０］無線通信のための装置であって、
マクロｅＮｏｄｅＢおよび複数の遠隔ラジオヘッド（ＲＲＨ）でＣＳＩ−ＲＳポートを作るように、チャネル状態情報基準信号（ＣＳＩ−ＲＳ）構成を選択する手段と、
前記選択されたＣＳＩ−ＲＳ構成にしたがってＣＳＩ−ＲＳを送信する手段と
を備える装置。
［５１］無線通信のための装置であって、
遠隔ラジオヘッド（ＲＲＨ）から明示的にシグナリングすること、あるいは、前記ＲＲＨに関連付けられたチャネル状態情報基準信号（ＣＳＩ−ＲＳ）を位置付けることのいずれかによって、前記ＲＲＨを識別する手段と、
前記識別されたＲＲＨに接続するか否かを決定する手段と
を備える装置。
［５２］無線通信のための装置であって、
アップリンク信号を測定する手段と、
遠隔ラジオヘッド（ＲＲＨ）から受信される、前記アップリンク信号の測定値を受信する手段と、
マクロ基地局および前記ＲＲＨのうちの１つからＵＥにサービス提供するかを、前記測定値に基づいて決定する手段と
を備える装置。
【図１】
0005694573.tif 000002
【図２】
0005694573.tif 000003
【図３】
0005694573.tif 000004
【図４】
0005694573.tif 000005
【図５Ａ】
0005694573.tif 000006
【図５Ｂ】
0005694573.tif 000007
【図６Ａ】
0005694573.tif 000008
【図６Ｂ】
0005694573.tif 000009
【図６Ｃ】
0005694573.tif 000010
【図６Ｄ】
0005694573.tif 000011
【図７】
0005694573.tif 000012
【図８Ａ】
0005694573.tif 000013
【図８Ｂ】
0005694573.tif 000014
【図８Ｃ】
0005694573.tif 000015
【図８Ｄ】
0005694573.tif 000016
【図９】
0005694573.tif 000017
【図１０】
0005694573.tif 000018